(57)【要約】  通貨取引を処理するための方法およびシステムのさまざまな態様が本明細書で開示される。本方法は、サーバにおいて、第１のアカウントに対応する第１の仮想通貨証書、および１つまたは複数の他のアカウントに対応する１つまたは複数の他の仮想通貨証書の登録を含む。登録された第１の仮想通貨証書は、第１の値に関連付けられる。本方法は、サーバにおいて、通貨取引を処理するために、登録された第１の仮想通貨証書の償還要求を受信することをさらに含む。受信された償還要求は、登録された第１の仮想通貨証書に関連付けられた第１の値よりも超過値の分だけ高い。本方法は、サーバにおいて、登録された第１の仮想通貨証書と関連する第１の値と、超過値に対応する登録された１つまたは複数の他の仮想通貨証書と関連する１つまたは複数の他の値の少なくとも一部とを償還して、通貨取引を処理することをさらに含む。
2018511856.tif 000002
【特許請求の範囲】
【請求項１】
仮想通貨を用いる通貨取引を処理する方法であって、前記方法は、
第１のアカウントに対応する第１の仮想通貨証書と、１つまたは複数の他のアカウントに対応する１つまたは複数の他の仮想通貨証書とをサーバに登録するステップであって、前記登録された第１の仮想通貨証書が第１の値と関連付けられる、ステップと、
前記サーバで、前記通貨取引を処理するために前記登録された第１の仮想通貨証書の償還要求を受信するステップであって、前記受信した償還要求の値が、前記登録された第１の仮想通貨証書に関連する前記第１の値よりも超過値の分だけ高い、ステップと、
前記サーバで、前記登録された第１の仮想通貨証書に関連した前記第１の値、および前記超過値に対応する前記登録された前記１つまたは複数の他の仮想通貨証書に関連する１つまたは複数の他の値の少なくとも一部を償還して、前記通貨取引を処理するステップと、
を備える、方法。
【請求項２】
前記サーバにおいて、前記登録された前記１つまたは複数の他の仮想通貨証書の勘定に基づいて前記超過値を等分に分割することに基づいて、前記登録された前記１つまたは複数の他の仮想通貨証書と関連する前記１つまたは複数の他の値の前記少なくとも一部を償還するステップをさらに備える、請求項１に記載の方法。
【請求項３】
前記サーバにおいて、前記償還のために前記登録された前記１つまたは複数の他の仮想通貨証書の優先順位に基づいて、前記１つまたは複数の他の値の前記少なくとも一部を償還するステップをさらに備える、請求項１に記載の方法。
【請求項４】
前記償還のための前記登録された前記１つまたは複数の他の仮想通貨証書の前記優先順位は、前記通貨取引に関連する商品またはサービスのカテゴリに基づく、請求項３に記載の方法。
【請求項５】
前記償還のための前記登録された前記１つまたは複数の他の仮想通貨証書の前記優先順位は、前記登録された前記１つまたは複数の他の仮想通貨証書に関連する前記１つまたは複数の他の値と、前記登録された第１の仮想通貨証書に関連する前記第１の値との間の交換レートに基づく、請求項３に記載の方法。
【請求項６】
前記償還のための前記登録された前記１つまたは複数の他の仮想通貨証書の前記優先順位が、前記登録された前記１つまたは複数の他の仮想通貨証書に関連する登録データ、前記登録された前記１つまたは複数の他の仮想通貨証書の登録の順序、前記登録された前記１つまたは複数の他の仮想通貨証書の有効期限の順序、前記償還要求の前記値および／または前記第１のアカウントに関連する履歴償還要求の１つまたは複数に基づく、請求項３に記載の方法。
【請求項７】
前記サーバによって、前記第１の仮想通貨証書および前記１つまたは複数の他の仮想通貨証書に関連する登録データを受信するステップをさらに備える、請求項１に記載の方法。
【請求項８】
前記サーバによって、前記登録データの少なくとも一部を、ユーザアカウント検証のために販売時点情報管理（ＰＯＳ）デバイスに送信するステップをさらに備える、請求項７に記載の方法。
【請求項９】
前記登録データが、発行日、期限日、第１の残高値および１つまたは複数の他の残高値を含む複数の残高値、前記第１の仮想通貨証書および／または前記１つまたは複数の他の仮想通貨証書の種類、ならびに／もしくはユーザプレファレンスのセットを備える、請求項７に記載の方法。
【請求項１０】
前記サーバにおいて、要求ログおよび／または償還ログを生成するステップをさらに備え、前記生成された要求ログは、前記償還要求に対応し、前記生成された償還ログは、前記登録された第１の仮想通貨証書および前記登録された前記１つまたは複数の他の仮想通貨証書の償還の詳細、前記第１のアカウントの取引詳細、ならびに／もしくは登録データの少なくとも一部、の１つまたは複数を備える、請求項１に記載の方法。
【請求項１１】
前記サーバによって、前記生成された要求ログおよび／または前記生成された償還ログを、前記１つまたは複数の他のアカウントに関連する１つまたは複数の他のサーバに送信するステップをさらに備える、請求項１０に記載の方法。
【請求項１２】
前記サーバで、前記サーバに関連する販売時点情報管理（ＰＯＳ）デバイスおよび／または前記ＰＯＳデバイスもしくは前記サーバと関連する電子デバイスから受信したデータログに基づいて、前記生成された要求ログおよび／または前記生成された償還ログを更新するステップをさらに備える、請求項１０に記載の方法。
【請求項１３】
前記データログが、前記受信した償還要求および前記処理された通貨取引に関連するタイムスタンプ、前記第１のアカウントおよび前記１つまたは複数の他のアカウントに対応するトークン化されたデータ、前記ＰＯＳデバイスおよび／または前記電子デバイスに対応するトークン化されたデータ、ならびに／もしくは前記処理された通貨取引に関連するメタデータを備える、請求項１２に記載の方法。
【請求項１４】
前記更新された前記要求ログおよび／または前記更新された前記償還ログが、前記通貨取引が前記サーバで処理される場合に前記ＰＯＳデバイスおよび／または前記電子デバイスに送信される、請求項１２に記載の方法。
【請求項１５】
前記サーバにおいて、前記登録された第１の仮想通貨証書に関連する第１の残高値と、前記登録された前記１つまたは複数の他の仮想通貨証書の１つまたは複数の他の残高値とを更新するステップをさらに備える、請求項１に記載の方法。
【請求項１６】
前記サーバにおいて、前記第１の値と、前記超過値に対応する前記登録された前記１つまたは複数の他の仮想通貨証書に関連する前記１つまたは複数の他の値の前記少なくとも一部との前記償還を認証するステップをさらに備える、請求項１に記載の方法。
【請求項１７】
前記登録された第１の仮想通貨証書および前記登録された前記１つまたは複数の他の仮想通貨証書が、ギフトカード、ビザカード、現金ポイントカード、プリペイドカード、モバイルウォレットアプリ、航空会社マイル、クーポン、小売店ロイヤリティポイント、クレジットカードポイント、ビットコイン、および／または仮想ポイントの１つまたは複数を備える、請求項１に記載の方法。
【請求項１８】
通貨取引を処理する方法であって、前記方法が、
前記通貨取引を処理するために登録された第１の仮想通貨証書の償還要求を販売時点情報管理（ＰＯＳ）デバイスで受信するステップと、
前記ＰＯＳデバイスにおいて、前記受信した償還要求が前記登録された第１の仮想通貨証書に関連する第１の値よりも高い超過値を判断するステップと、
前記ＰＯＳデバイスにおいて、サーバから表示データを受信するステップであって、前記表示データが、登録された１つまたは複数の他の仮想通貨証書を備える、ステップと、
前記ＰＯＳデバイスによって、前記受信した表示データを電子デバイスに送信するステップと、
前記ＰＯＳデバイスによって、前記超過値の償還のために、前記電子デバイスから、前記登録された前記１つまたは複数の他の仮想通貨証書の選択を受信するステップと、
前記ＰＯＳデバイスによって、前記登録された前記１つまたは複数の他の仮想通貨証書の前記受信した選択を前記サーバに送信するステップであって、前記サーバが、前記第１の値と、前記登録された前記１つまたは複数の他の仮想通貨証書の前記受信した選択に関連する１つまたは複数の他の値の少なくとも一部との償還に基づいて前記通貨取引を処理する、ステップと、
を備える、方法。
【請求項１９】
前記ＰＯＳデバイスが、ラップトップ、キャッシュレジスタ、タブレット、モバイルデバイス、ワイヤレスページャ、および／または電子署名取得デバイスのうちの１つである、請求項１８に記載の方法。
【請求項２０】
前記ＰＯＳデバイスで、表示データを前記サーバから受信するステップであって、前記表示データが、前記登録された前記１つまたは複数の他の仮想通貨証書と関連する１つまたは複数の他の値の少なくとも一部の償還に対する優先順位、前記登録された第１の仮想通貨証書と前記登録された前記１つまたは複数の仮想通貨証書とを交換するためのオプション、新規仮想通貨証書を購入するためのオプション、前記登録された第１の仮想通貨証書および／または前記登録された前記１つまたは複数の他の仮想通貨証書と関連する前記登録データ、ならびに／もしくは、前記登録された第１の仮想通貨証書と前記登録された前記１つまたは複数の他の仮想通貨証書との交換に関連する交換レート、のうちの１つまたは複数を備える、ステップをさらに備える、請求項１８に記載の方法。
【請求項２１】
通貨取引を処理するシステムであって、前記システムが、
サーバ内の１つまたは複数の回路を備え、前記１つまたは複数の回路が、
第１のアカウントに対応する第１の仮想通貨証書と、１つまたは複数の他のアカウントに対応する１つまたは複数の他の仮想通貨証書とを登録するよう動作可能であり、前記登録された第１の仮想通貨証書が第１の値と関連付けられ、
前記１つまたは複数の回路が、さらに、前記通貨取引を処理するために前記登録された第１の仮想通貨証書の償還要求を受信するよう動作可能であり、前記受信した償還要求の値が、前記登録された第１の仮想通貨証書と関連する前記第１の値より超過値の分だけ高く、
前記１つまたは複数の回路が、さらに、前記登録された第１の仮想通貨証書と関連する前記第１の値と前記超過値に対応する前記登録された前記１つまたは複数の他の仮想通貨証書と関連する１つまたは複数の他の値の少なくとも一部とを償還して、前記通貨取引を処理するよう動作可能である、
システム。
【請求項２２】
前記１つまたは複数の回路が、前記サーバにおいて、前記登録された前記１つまたは複数の他の仮想通貨証書の勘定に基づいて前記超過値を等分に分割することに基づいて、前記登録された前記１つまたは複数の他の仮想通貨証書と関連する前記１つまたは複数の他の値の前記少なくとも一部を償還するよう動作可能である、請求項２１に記載のシステム。
【請求項２３】
前記１つまたは複数の回路が、前記サーバにおいて、前記償還のための前記登録された前記１つまたは複数の他の仮想通貨証書の優先順位に基づいて、前記１つまたは複数の他の値の前記少なくとも一部を償還するよう動作可能である、請求項２１に記載のシステム。
【請求項２４】
通貨取引を処理するシステムであって、前記システムが、
販売時点情報管理（ＰＯＳ）デバイス内に１つまたは複数の回路を備え、前記１つまたは複数の回路が、
前記通貨取引を処理するために登録された第１の仮想通貨証書の償還要求を受信し、
前記受信した償還要求が前記登録された第１の仮想通貨証書と関連する第１の値よりも高い超過値を判断し、
登録された１つまたは複数の他の仮想通貨証書を備える表示データをサーバから受信し、前記超過値の償還のために前記登録された前記１つまたは複数の他の仮想通貨証書の１つまたは複数を選択し、
前記登録された前記１つまたは複数の他の仮想通貨証書の前記選択を前記サーバに送信するよう動作可能であり、前記サーバが、前記第１の値、および前記登録された前記１つまたは複数の他の仮想通貨証書の前記受信した選択に関連する１つまたは複数の他の値の少なくとも一部の償還に基づいて前記通貨取引を処理する、システム。
【請求項２５】
通貨取引を処理するための電子デバイスであって、前記電子デバイスが、１つまたは複数の回路を備え、前記１つまたは複数の回路が、
サーバに、前記通貨取引を処理するための登録された第１の仮想通貨証書の償還要求を通信するよう動作可能であり、前記通信された償還要求が、前記登録された第１の仮想通貨証書と関連する第１の値よりも超過値の分だけ高く、
前記１つまたは複数の回路が、さらに、サーバから表示データを受信するよう動作可能であり、前記表示データが、登録された１つまたは複数の他の仮想通貨証書を備え、
前記１つまたは複数の回路が、さらに、前記超過値の償還のために前記登録された前記１つまたは複数の他の仮想通貨証書の１つまたは複数を選択し、
前記登録された前記１つまたは複数の他の仮想通貨証書の前記選択を前記サーバに送信するよう動作可能であり、前記サーバが、前記第１の値、および前記登録された前記１つまたは複数の他の仮想通貨証書の前記送信された選択と関連する１つまたは複数の他の値の少なくとも一部の償還に基づいて前記通貨取引を処理する、
電子デバイス。
【請求項２６】
前記１つまたは複数の回路が、前記登録された第１の仮想通貨証書に関連する更新された第１の残高値と、前記登録された前記１つまたは複数の他の仮想通貨証書の１つまたは複数の他の残高値とを受信するよう動作可能である、請求項２５に記載の電子デバイス。
【請求項２７】
通貨取引を処理するための少なくとも１つのコードセクションを有するコンピュータプログラムを格納する非一時的コンピュータ可読記憶媒体であって、前記少なくとも１つのコードセクションが、コンピュータによって、前記コンピュータに以下を備えるステップを実行させるために実行可能であり、すなわち、
サーバにおいて、第１のアカウントに対応する第１の仮想通貨証書と１つまたは複数の他のアカウントに対応する１つまたは複数の他の仮想通貨証書とを登録するステップであって、前記登録された第１の仮想通貨証書が第１の値と関連付けられる、ステップと、
前記サーバにおいて、前記通貨取引を処理するために前記登録された第１の仮想通貨証書の償還要求を受信するステップであって、前記受信した償還要求の値が、前記登録された第１の仮想通貨証書と関連する前記第１の値よりも超過値の分だけ高い、ステップと、
前記サーバにおいて、前記登録された第１の仮想通貨証書と関連する前記第１の値と、前記超過値に対応する前記登録された前記１つまたは複数の他の仮想通貨証書と関連する１つまたは複数の他の値の少なくとも一部とを償還して、前記通貨取引を処理するステップと、
を備える、非一時的コンピュータ可読記憶媒体。
【発明の詳細な説明】
【技術分野】
【０００１】
関連出願への相互参照
本出願は、２０１５年２月１３日に出願された米国特許出願第１４／６２１，５９９号の優先権を主張し、その全体の開示が参照により本明細書に組み込まれる。
【０００２】
本開示のさまざまな実施形態は、通貨取引を処理することに関する。より具体的には、本開示のさまざまな実施形態は、１つまたは複数の仮想通貨証書を使用して通貨取引を処理することに関する。
【背景技術】
【０００３】
金融取引処理の分野における電子通貨取引の出現により、さまざまな金融機関および／またはビジネス機関は、今日消費者に有利な金融商品を提供する傾向がある。そのような進歩は、消費者による仮想通貨証書の使用をますます一般的にするのに貢献してきた。仮想通貨証書は、仮想通貨の使用を容易にすることができ、これはデジタル取引することができる価値のデジタル表現であり得る。仮想通貨は、取引の媒体、アカウントの単位、および／または通貨取引のための価値の記録として機能し得る未調整デジタル・マネーとすることができる。仮想通貨証書の例としては、エアマイル、ロイヤリティポイント、クレジットカードポイント、物理クーポン、アプリベースのコインおよびトークン、モバイルクーポン、ならびにデジタルコンテンツに対して交換される時間および個人のデータを含むことができるが、これらに限定されない。仮想通貨証書の広い用途および使用により、当初予想されていたよりもはるかに高い市場規模が築かれた。
【０００４】
典型的には、特定の金融口座の金融取引を決済するために、消費者は、特定の金融口座に対応するギフトカードなどの仮想通貨証書を使用する必要がある。例えば、消費者は、ｉＴｕｎｅｓ（商標）ミュージックストアなどの金融口座に対応する商品を購入するために、ｉＴｕｎｅｓ（商標）ギフトカードを使用する必要がある。消費者は、ｉＴｕｎｅｓ（商標）ミュージックストアなどの金融口座の商品を購入するために、別の金融口座の別のギフトカードを償還することはできない。また、仮想通貨証書の残高は、特定の商品を購入するための償還要求額よりも多くする必要がある。したがって、電子通貨取引の完了前に、十分な残高を有する、すべての金融口座に対応するすべての仮想通貨証書を消費者が常に運ぶことは厄介であろう。
【０００５】
特定の状況では、さまざまな金融口座が、異なる決済ネットワークを介して、異なるマーチャント決済システムによって管理される可能性がある。したがって、消費者は、電子通貨取引におけるそのような仮想通貨証書の使用前に、すべての仮想通貨証書および金融口座の使用条件を認識することを要求される可能性がある。特定の仮想通貨証書の種類および残高に基づいて消費者の購入が制限されないように、異なる金融機関の金融口座に対するすべてのそのような通貨取引を統一的かつ手間のかからない方法で制御することが、消費者にとって望ましいであろう。
【０００６】
本出願の残りの部分および図面を参照して説明される本開示のいくつかの態様と記載されたシステムとの比較を通して、従来の典型的な手法のさらなる制限および欠点が、当業者に明らかになるであろう。
【発明の概要】
【課題を解決するための手段】
【０００７】
特許請求の範囲でより完全に説明されるように、少なくとも１つの図面で示されるような、および／または少なくとも１つの図面と関連して記載されるような、通貨取引を処理するための方法およびシステムが実質的に提供される。
【０００８】
本開示のこれらのおよび他の特徴および利点は、同様の参照番号が全体を通じて同様の部分に関する添付図面と共に、本開示の以下の詳細な説明の考察から理解されよう。
【図面の簡単な説明】
【０００９】
【図１】本開示の一実施形態による、通貨取引を処理するためのネットワーク環境を示すブロック図である。
【図２】本開示の一実施形態による、通貨取引を処理するための例示的なサーバを示すブロック図である。
【図３】本開示の一実施形態による、通貨取引を処理するための例示的な販売時点情報管理（ＰＯＳ）デバイスを示すブロック図である。
【図４】本開示の一実施形態による、通貨取引を処理するための例示的な電子デバイスを示すブロック図である。
【図５】本開示の一実施形態による、第１のユーザが１つまたは複数の他の仮想通貨証書を登録するための第１の例示的なタイミング図である。
【図６】本開示の一実施形態による、第１の通貨取引を処理するために開示された方法およびシステムを実施するための第２の例示的なタイミング図である。
【図７】本開示の一実施形態による、第２の通貨取引を処理するために開示された方法およびシステムを実施するための第３の例示的なタイミング図である。
【図８】本開示の一実施形態による、通貨取引を処理するために開示された方法およびシステムを実施するための例示的な状況を示す図である。
【図９Ａ】本開示の一実施形態による、サーバで通貨取引を処理するための第１の方法を示す第１のフローチャートである。
【図９Ｂ】本開示の一実施形態による、サーバで第１のユーザによる１つまたは複数の他の仮想通貨証書を登録するための第２の方法を示す第２のフローチャートである。
【図９Ｃ】本開示の一実施形態による、登録された１つまたは複数の他の仮想通貨証書の優先順位を決定する第３の方法を示す第３のフローチャートである。
【図１０】本開示の一実施形態による、ＰＯＳデバイスで通貨取引を処理するための第４の方法を示す第４のフローチャートである。
【図１１】本開示の一実施形態による、電子デバイスで通貨取引を処理するための第５の方法を示す第５のフローチャートである。
【発明を実施するための形態】
【００１０】
通貨取引を処理するためのシステムおよび／または方法において、さまざまな実装態様を発見することができる。以下の実施形態は、当業者が、開示された実施形態を作成し使用することを可能にするのに十分詳細に記載される。他の実施形態は、本開示に基づいて明らかとなり、本開示の範囲から逸脱することなくシステム、処理、または機械的変更を行うことができることを理解されよう。
【００１１】
以下の説明では、本開示の完全な理解を提供するために多数の特定の詳細が与えられる。しかしながら、開示された実施形態は、これらの特定の詳細なしで実施され得ることは明らかであろう。本開示を不明瞭にすることを避けるために、いくつかの周知の回路、システム構成、および処理ステップは、詳細に開示されない。
【００１２】
システムの実施形態を示す図面は、準概略図であり、一定の縮尺ではなく、特に、いくつかの寸法は、提示の明瞭性のために、図面において誇張されて示されている。いくつかの共通の特徴を有する複数の実施形態が開示され記述されている場合、それらの図示、説明、および理解を明瞭にし、容易にするために、互いに類似した同様の特徴を通常同様の参照番号で説明する。
【００１３】
図１は、本開示の一実施形態による、通貨取引を処理するためのネットワーク環境１００を示すブロック図である。図１を参照すると、サーバ１０２、ＰＯＳデバイス１０４、および複数の仮想通貨証書１０６が示されている。さらに、電子デバイス１０８、取得者１１０、決済ネットワーク１１２、発行者１１４、通信ネットワーク１１６、第１のユーザ１１８、および第２のユーザ１２０が示されている。サーバ１０２は、通信ネットワーク１１６を介して、ＰＯＳデバイス１０４、複数の仮想通貨証書１０６、電子デバイス１０８、取得者１１０、決済ネットワーク１１２、および発行者１１４に通信可能に結合することができる。取得者１１０は、決済ネットワーク１１２を介して、発行者１１４に通信可能に結合することができる。ＰＯＳデバイス１０４は、直接的または電子デバイス１０８を介する第１のユーザ１１８による複数の仮想通貨証書１０６の使用を、容易にすることができる。
【００１４】
サーバ１０２は、ＰＯＳデバイス１０４または電子デバイス１０８に関連付けられた第１のユーザ１１８によって開始された１つまたは複数の償還要求を受信するように動作可能とすることができる、適切なロジック、回路、インターフェース、および／またはコードを備えることができる。サーバ１０２はさらに、１つまたは複数の通貨取引を処理するために受信した１つまたは複数の償還要求を理知的に処理するよう動作可能とすることができる。サーバ１０２は、当分野で既知である１つまたは複数の技術に基づいて実現することができる。
【００１５】
ＰＯＳデバイス１０４は、複数の仮想通貨証書１０６の使用を容易にするように動作可能とすることができる適切なロジック、回路、インターフェース、および／またはコードを備えることができる。ＰＯＳデバイス１０４は、モバイルＰＯＳデバイス１０４ａまたはスタンドアロンＰＯＳデバイス１０４ｂとすることができる。ＰＯＳデバイス１０４は、さらに、複数の仮想通貨証書１０６の、第１のユーザ１１８および／または第２のユーザ１２０などの、ユーザの識別情報を検証するよう動作可能とすることができる。ユーザの識別情報は、ユーザの署名の確認および／またはＰＯＳデバイス１０４でユーザによって提供される個人識別番号（ＰＩＮ）に基づくことができる。ＰＯＳデバイス１０４は、複数の仮想通貨証書１０６から取得したデータおよび１つもしくは複数の償還要求を、取得者１１０にさらに送ることができる。ＰＯＳデバイス１０４は、マーチャントサービス手数料（ＭＳＣ）などの金銭的価値を取得者１１０に支払うことができる。ＰＯＳデバイス１０４の例には、ラップトップ、キャッシュレジスタ、タブレット、モバイルデバイス、無線ページャ、電子署名取得デバイス、および／または磁気カードリーダを含むことができるが、これらに限定されない。
【００１６】
複数の仮想通貨証書１０６は、第１のアカウントおよび１つもしくは複数の他のアカウントなどの複数のマーチャントアカウントに関連付けることができる適切なロジック、回路、インターフェース、および／またはコードを備えることができる。複数の仮想通貨証書１０６のそれぞれは、対応する値および／または登録データと関連付けることができる。複数の仮想通貨証書１０６に関連付けられた複数の値の少なくとも一部は、１つまたは複数の通貨取引に対応することができる１つまたは複数の償還要求に対して償還され得る。複数の仮想通貨証書１０６の例には、ギフトカード、ビザカード、キャッシュポイントカード、プリペイドカード、モバイルウォレットアプリ、航空会社マイル、クーポン、小売店ロイヤリティポイント、クレジットカードポイント、ビットコイン、および／または仮想ポイントを含むことができるが、これらに限定されない。複数の仮想通貨証書１０６は、金銭的価値を有していてもいなくてもよい。
【００１７】
電子デバイス１０８は、複数の仮想通貨証書１０６の使用を容易にするように構成することができる適切なロジック、回路、インターフェース、および／またはコードを備えることができる。一実施形態によれば、電子デバイス１０８は、モバイル決済のために、Ｇｏｏｇｌｅ  Ｗａｌｌｅｔ（登録商標）などのプリインストールされたデジタルモバイルウォレットアプリを含むことができる。一実施形態によれば、電子デバイス１０８は、ネットバンキング決済を実施するためにプリインストールされたウェブインターフェースを含むことができる。電子デバイス１０８は、メッセージングサービス、サービスベースのトランザクション決済、直接モバイル課金、モバイルウェブ決済（ＷＡＰ）、および／または非接触近距離通信（ＮＦＣ）の１つまたは複数に基づいて１つまたは複数の通貨取引を実行することができる。電子デバイス１０８の例は、スマートフォン、携帯情報端末（ＰＤＡ）デバイス、タブレット、または他のそのような携帯電子通信デバイスを含むことができるが、これらに限定されない。
【００１８】
取得者１１０は、第１のアカウントなどのマーチャントアカウントへの決済を容易にする企業サーバまたは金融機関サーバに対応することができる適切なロジック、回路、インターフェース、および／またはコードを備えることができる。第１の仮想通貨証書が、例えば、銀行カードである場合、１つまたは複数の通貨取引について決済を容易にすることができる。言い換えれば、取得者１１０は、ＰＯＳデバイス１０４とマーチャントアカウントとの間で仲介するよう構成することができる。第１のユーザ１１８に関連するＰＯＳデバイス１０４は、第１のアカウント専用とすることができる。取得者１１０は、さらに、発行者１１４などの１つまたは複数の発行者と、マーチャント・サービス・プロバイダとして通信することができる。一実施形態によれば、取得者１１０は、すべての許可された銀行カードベースの通貨取引に対する決済を保証することができる。取得者１１０の例には、Ｖｉｓａ（登録商標）、ＭａｓｔｅｒＣａｒｄ（登録商標）、Ａｍｅｒｉｃａｎ  Ｅｘｐｒｅｓｓ（登録商標）、およびＤｉｓｃｏｖｅｒ（登録商標）を含むことができるが、これらに限定されない。取得者１１０は、当分野で既知である１つまたは複数のサーバ技術に基づいて実現することができる。
【００１９】
決済ネットワーク１１２は、取得者１１０が発行者１１４と通信することができる媒体を含むことができる。さまざまなフォーマット規格を、取得者１１０と発行者１１４との間のメッセージの交換のために定義することができる。そのようなフォーマット規格は、金融メッセージ認証のための米国規格協会（ＡＮＳＩ）Ｘ９．９規格、ならびに／もしくは個人識別番号（ＰＩＮ）管理およびセキュリティのためのＡＮＳＩ  Ｘ９．８規格などを備えることができる。決済ネットワーク１１２の例には、インターネット、クラウドネットワーク、ロング・ターム・エボリューション（ＬＴＥ）ネットワーク、ワイヤレス・フィディリティ（Ｗｉ−Ｆｉ）ネットワーク、無線ローカル・エリア・ネットワーク（ＷＬＡＮ）、ローカル・エリア・ネットワーク（ＬＡＮ）、電話回線（ＰＯＴＳ）、および／またはメトロポリタン・エリア・ネットワーク（ＭＡＮ）を含むことができるが、これらに限定されない。ネットワーク環境１００内のさまざまなデバイスは、さまざまな有線および無線通信プロトコルに従って、決済ネットワーク１１２に接続するよう動作可能とすることができる。そのような有線および無線通信プロトコルの例には、伝送制御プロトコルおよびインターネットプロトコル（ＴＣＰ／ＩＰ）、ユーザ・データグラム・プロトコル（ＵＤＰ）、ハイパーテキスト転送プロトコル（ＨＴＴＰ）、ハイパーテキスト転送プロトコルセキュア（ＨＴＴＰＳ）、ファイル転送プロトコル（ＦＴＰ）、Ｚｉｇｂｅｅ、ＥＤＧＥ、赤外線（ＩＲ）、ＩＥＥＥ８０２．１１、８０２．１６、セルラ通信プロトコル、および／またはＢｌｕｅｔｏｏｔｈ（ＢＴ）通信プロトコルを含むことができるが、これらに限定されない。
【００２０】
発行者１１４は、バンキングおよび／または金融機能を第１のユーザ１１８などのユーザに提供するように動作可能とすることができる適切なロジック、回路、インターフェース、および／またはコードを備えることができる。発行者１１４は、第１のユーザ１１８と契約して、１つまたは複数の通貨取引のための複数の仮想通貨証書１０６、例えば銀行カードを提供することができる。発行者１１４は、第１のユーザ１１８の第１のユーザアカウントに信用貸しをし、および／または管理することができる。発行者１１４は、第１のユーザアカウントステートメントをさらに準備して第１のユーザ１１８に配信することができる。発行者１１４は、第１のユーザ１１８に代わってマーチャントアカウントになされた通貨取引について取得者１１０に支払うことができる。発行者１１４の例には、Ｃｈａｓｅ（登録商標）およびＣｉｔｉ（登録商標）を含むことができるが、これらに限定されない。発行者１１４は、当分野で既知である１つまたは複数のサーバ技術に基づいて実現することができる。
【００２１】
通信ネットワーク１１６は、サーバ１０２がＰＯＳデバイス１０４、複数の仮想通貨証書１０６、取得者１１０、および／または発行者１１４と通信することができる媒体を含むことができる。通信ネットワーク１１６の例には、インターネット、クラウドネットワーク、ロング・ターム・エボリューション（ＬＴＥ）ネットワーク、ワイヤレス・フィディリティ（Ｗｉ−Ｆｉ）ネットワーク、無線ローカル・エリア・ネットワーク（ＷＬＡＮ）、ローカル・エリア・ネットワーク（ＬＡＮ）、電話回線（ＰＯＴＳ）、および／またはメトロポリタン・エリア・ネットワーク（ＭＡＮ）を含むことができるが、これらに限定されない。ネットワーク環境１００内のさまざまなデバイスは、さまざまな有線および無線通信プロトコルに従って、通信ネットワーク１１６に接続するよう動作可能とすることができる。そのような有線および無線通信プロトコルの例には、伝送制御プロトコルおよびインターネットプロトコル（ＴＣＰ／ＩＰ）、ユーザ・データグラム・プロトコル（ＵＤＰ）、ハイパーテキスト転送プロトコル（ＨＴＴＰ）、ハイパーテキスト転送プロトコルセキュア（ＨＴＴＰＳ）、ファイル転送プロトコル（ＦＴＰ）、Ｚｉｇｂｅｅ、ＥＤＧＥ、赤外線（ＩＲ）、ＩＥＥＥ８０２．１１、８０２．１６、セルラ通信プロトコル、および／またはＢｌｕｅｔｏｏｔｈ（ＢＴ）通信プロトコルを含むことができるが、これらに限定されない。
【００２２】
第１のユーザ１１８は、複数の仮想通貨証書１０６の使用によって１つまたは複数の決済を行うか、または現金を引き出すことができる第１のユーザアカウント保有者とすることができる。同様に、第２のユーザ１２０は、別の仮想通貨証書（図示せず）の使用によって１つまたは複数の決済を行うか、または現金を引き出すことができる第２のユーザアカウント保有者とすることができる。一実施形態によれば、第２のユーザ１２０は、複数の仮想通貨証書１０６の１つまたは複数の使用によって１つまたは複数の決済を行うか、または現金を引き出すことができる。そのような１つまたは複数の決済を行うために、第１のユーザ１１８および第２のユーザ１２０は、複数の仮想通貨証書１０６および他の仮想通貨証書をそれぞれ使用して、１つまたは複数の通貨取引を開始しなければならない可能性がある。第１のユーザ１１８および第２のユーザ１２０は、発行者１１４との契約の条件に従って、複数の仮想通貨証書１０６および他の仮想通貨証書をそれぞれ所持し、使用することができる。そのような場合、第１のユーザ１１８および第２のユーザ１２０の両者は、発行者１１４などの同じ発行者に関連付けられている。一実施形態によれば、第１のユーザ１１８は、発行者１１４に関連付けることができ、第２のユーザ１２０は、別の発行者（図示せず）に関連付けることができる。第１のユーザ１１８は、第１のユーザアカウントに基づいて、第２のユーザ１２０に関連付けることができる。第１のユーザ１１８は、第２のユーザ１２０によって承諾されたアクセス権のセットに基づいて、第２のユーザ１２０が所有する他の仮想通貨証書にアクセスすることができる。
【００２３】
動作中、第１のユーザ１１８は、第１のユーザアカウントの作成のために、通信ネットワーク１１６を介してサーバ１０２に送信され得る要求を開始することができる。要求は、第１のユーザ識別子、第１のユーザパスキー、および第１のユーザ１１８の個人データなどのユーザデータを備えることができる。一実施形態によれば、第１のユーザ１１８は、第１のユーザアカウントの作成のためにＰＯＳデバイス１０４で要求を開始することができる。一実施形態によれば、ＰＯＳデバイス１０４は、スマートＰＯＳデバイス１０４ａに対応することができる。スマートＰＯＳデバイス１０４ａは、電子デバイス１０８（例えば、スマートフォン）に通信可能に接続されたカードリーダデバイス（例えば、Ｓｑｕａｒｅ（登録商標）カードリーダ）などのデバイスの組み合わせに対応することができる。そのような場合、電子デバイス１０８は、カードリーダデバイスと共に、１つまたは複数の償還要求に対して、１つまたは複数の通貨取引を開始および承認することができるＳｑｕａｒｅ  Ｒｅｇｉｓｔｅｒ（商標）などの専売ソフトウェアアプリケーションを備えることができる。それにもかかわらず、本開示はそれほど限定されない可能性があり、開示の範囲を限定することなく、１つまたは複数の通貨取引を開始および承認するために他のソフトウェアアプリケーションを利用することができる。
【００２４】
別の実施形態によれば、ＰＯＳデバイス１０４は、スタンドアロンＰＯＳデバイス１０４ｂに対応することができる。スタンドアロンＰＯＳデバイス１０４ｂは、１つまたは複数の償還要求に対して、１つまたは複数の通貨取引を開始し承認するために、マーチャント決済システムなどの、汎用ソフトウェアアプリケーションを備えることができる。話を簡単にするために、以下、「ＰＯＳデバイス１０４」という用語は、「スマートＰＯＳデバイス１０４ａ」および「スタンドアロンＰＯＳデバイス１０４ｂ」という用語と互換的に使用する可能性があることは、当業者には理解されよう。
【００２５】
一実施形態によれば、第１のユーザ１１８は、スマートＰＯＳデバイス１０４ａで要求を開始することができる。一実施形態によれば、第１のユーザ１１８は、電子デバイス１０８で要求を開始することができる。開始された要求は、ＮＦＣ接続または通信ネットワーク１１６を介してスタンドアロンＰＯＳデバイス１０４ｂに送信することができる。一実施形態によれば、第１のユーザ１１８は、スマートＰＯＳデバイス１０４ａで要求を開始することができる。ＰＯＳデバイス１０４（スマートＰＯＳデバイス１０４ａまたはスタンドアロンＰＯＳデバイス１０４ｂなど）は、通信ネットワーク１１６を介してサーバ１０２に要求をさらに送信することができる。一実施形態によれば、第１のユーザ１１８は、電子デバイス１０８で要求を開始することができ、電子デバイス１０８は、通信ネットワーク１１６を介して、サーバ１０２に要求を直接送信することができる。
【００２６】
受信した要求に基づいて、サーバ１０２は、第１のユーザ１１８のための第１のユーザアカウントを作成するよう動作可能とすることができる。第１のユーザ識別子および第１のユーザパスキーは、第１のユーザ１１８のログイン認証情報に対応することができる。個人データは、氏名、住所、Ｅメールアドレス、電話番号、国籍、年齢、性別、婚姻状態、家族の状態、指紋、血液型、教育歴、財務履歴、雇用履歴、および／または第１のユーザ１１８の連絡先リストなどの個人の詳細を備えることができる。第１のユーザ１１８の連絡先リストに基づいて、サーバ１０２は、第１のユーザ１１８と第２のユーザ１２０との関連付けを判断することができる。個人データは、ユーザプレファレンスのセットをさらに備えることができる。ユーザプレファレンスのセットは、サーバ１０２に関連する、第１のアカウントおよび１つまたは複数の他のアカウントなどの、複数のマーチャントアカウントによって提供されるサービスをタグ付けおよび／または分類することができるユーザプレファレンスのセットを備えることができる。一実施形態によれば、第１のマーチャントアカウントは、ＰＯＳデバイス１０４に関連付けることができる。
【００２７】
一実施形態によれば、サーバ１０２は、第１のユーザ１１８からのアクセス権限を受信するようさらに動作可能とすることができる。アクセス権限は、作成された第１のユーザアカウントの詳細の少なくとも一部を共有する権限のセットに対応することができる。一実施形態によれば、サーバ１０２は、第１のユーザ１１８が、第２のユーザ１２０によって承諾されたアクセス権のセットに基づいて、第２のユーザ１２０に関連する第２の仮想通貨証書にアクセスすることを可能にすることができる。
【００２８】
一実施形態によれば、サーバ１０２は、第１のユーザ１１８から複数の仮想通貨証書１０６に関連する登録データを受信するよう動作可能とすることができる。受信した登録データは、第１のユーザ１１８に対応する作成された第１のユーザアカウントに格納することができる。複数の仮想通貨証書１０６は、第１のマーチャントの第１のアカウントに対応することができる第１の仮想通貨証書を備えることができる。複数の仮想通貨証書１０６は、第１の仮想通貨証書に加えて、他のマーチャントの他のアカウントに対応することができる、１つまたは複数の他の仮想通貨証書をさらに備えることができる。
【００２９】
複数の仮想通貨証書１０６は、登録データに基づいて第１のユーザ１１８に登録することができる。一実施形態によれば、サーバ１０２に送信された複数の仮想通貨証書１０６の登録データは、バーコード、クラウドに予め格納されたデータのセット、スキャンされた高速応答（ＱＲ）コード、スキャンされたプラスチックカード、またはスキャンされた紙、および／または複数の仮想通貨証書１０６に関連する電子メッセージに基づいて自動的に判断することができる。一実施形態によれば、サーバ１０２に送信された複数の仮想通貨証書１０６の登録データは、ＰＯＳデバイス１０４または電子デバイス１０８において第１のユーザ１１８が手動で入力してもよい。一実施形態によれば、サーバ１０２に送信された複数の仮想通貨証書１０６の登録データは、ＰＯＳデバイス１０４または電子デバイス１０８によって作成されたデータに基づいて自動的に入力されてもよい。複数の仮想通貨証書１０６がＰＯＳデバイス１０４または電子デバイス１０８を介して利用される場合、データは、ＰＯＳデバイス１０４または電子デバイス１０８によって取り込むことができる。
【００３０】
一実施形態によれば、サーバ１０２は、第１のユーザアカウントの検証のために、第１のユーザアカウントの少なくとも一部および／または登録データをＰＯＳデバイス１０４または電子デバイス１０８に送信するよう動作可能とすることができる。一実施形態によれば、第１のユーザアカウントおよび／または登録データの送信された部分は、第１のアカウントおよび／または１つもしくは複数の他のアカウントの種類に基づいてカスタマイズすることができる。第１のユーザアカウントが正常に確認された場合、ＰＯＳデバイス１０４または電子デバイス１０８は、サーバ１０２に通知を送信することができる。通知に基づいて、サーバ１０２は、第１のアカウントからの応答を受信するよう動作可能とすることができる。応答は、登録された複数の仮想通貨証書１０６に関連する複数の残高値を含むことができる。一実施形態によれば、登録された複数の仮想通貨証書１０６は、登録された第１の仮想通貨証書と、登録された第２の仮想通貨証書を含むことができる、登録された１つまたは複数の他の仮想通貨証書とを備えることができる。応答に基づいて、サーバ１０２は、登録された複数の仮想通貨証書１０６に関連する複数の残高値を格納するための償還ログを生成するよう動作可能とすることができる。サーバ１０２は、第１のユーザ１１８に対する通知を送信するようさらに動作可能とすることができる。一実施形態によれば、通知は、ＰＯＳデバイス１０４に表示することができる。一実施形態によれば、通知は、電子デバイス１０８に表示することができる。
【００３１】
一実施形態によれば、第１のユーザ１１８は、第１のマーチャントの第１のアカウントに対応することができる１つまたは複数の商品の購入のための通貨取引を開始することができる。第１のユーザ１１８は、登録された第１の仮想通貨証書を使用して通貨取引を開始することができる。一実施形態によれば、通貨取引が処理される場合に、登録された第１の仮想通貨証書（例えば、銀行カード、ストアドバリューカード、フリートカード、および／またはギフトカード）を償還のために利用することができる。
【００３２】
一実施形態によれば、登録された第１の仮想通貨証書は、スマートＰＯＳデバイス１０４ａで償還することができる。スマートＰＯＳデバイス１０４ａは、通信可能に接続されたカードリーダデバイスに対応する電子デバイス１０８にインストールされたソフトウェアアプリケーションの使用によって通貨取引を処理することができる。一実施形態によれば、登録された第１の仮想通貨証書は、スタンドアロンＰＯＳデバイス１０４ｂで償還することができる。スタンドアロンＰＯＳデバイス１０４ｂは、スタンドアロンＰＯＳデバイス１０４ｂにインストールされた、マーチャント決済システムなどの、ソフトウェアアプリケーションを使用することによって、通貨取引を処理することができる。スタンドアロンＰＯＳデバイス１０４ｂは、通貨取引を処理するために、第１のマーチャントの取得者１１０によって提供される販売時点情報管理デバイスに対応することができる。
【００３３】
一実施形態によれば、登録された第１の仮想通貨証書は、電子デバイス１０８によって使用することができる。電子デバイス１０８は、ＮＦＣ接続などの近距離通信ネットワークを介してスタンドアロンＰＯＳデバイス１０４ｂと通信することができる。例示的な状況では、短距離非接触ＮＦＣ接続を確立するために、電子デバイス１０８とスタンドアロンＰＯＳデバイス１０４ｂとの間でタッピングジェスチャを実行することができる。タップジェスチャに基づいて、償還要求を生成することができる。
【００３４】
スタンドアロンＰＯＳデバイス１０４ｂまたはスマートＰＯＳデバイス１０４ａ内のインストールされたソフトウェアアプリケーションに基づいて、通貨取引を開始および／または許可することができる。スタンドアロンＰＯＳデバイス１０４ｂまたはスマートＰＯＳデバイス１０４ａは、登録された第１の仮想通貨証書および第１のユーザアカウントに関連する登録データを、第１の仮想通貨証書の埋め込み磁気ストリップから読み取ることができる。
【００３５】
一実施形態によれば、（モバイル／オンラインウォレット、オンライン・ネットバンキング・アカウント、および電子通貨などの）登録された第１の仮想通貨証書は、電子デバイス１０８（スマートフォンなど）によって利用することができる。電子デバイス１０８は、通信ネットワーク１１６を介してサーバ１０２と通信するよう動作可能とすることができる。登録された第１の仮想通貨証書および第１のユーザアカウントに関連する登録データは、通信ネットワーク１１６を介して、スタンドアロンＰＯＳデバイス１０４ｂ、スマートＰＯＳデバイス１０４ａ、または電子デバイス１０８からサーバ１０２によって受信することができる。
【００３６】
一実施形態によれば、第１のユーザ１１８は、ＰＯＳデバイス１０４および／または電子デバイス１０８における償還要求の値をバンクレール（ｂａｎｋ  ｒａｉｌ）を使用して提供することができる。一実施形態によれば、ＰＯＳデバイス１０４は、登録された第１の仮想通貨証書の償還要求を受信するよう動作可能とすることができる。登録された第１の仮想通貨証書は、第１のマーチャントの第１のアカウントに対応することができる。ＰＯＳデバイス１０４は、償還対象の値を、直接的にまたは電子デバイス１０８を介して、第１のユーザ１１８から受信することができる。ＰＯＳデバイス１０４は、第１のユーザアカウントを検証し、登録時にローカルメモリに格納された第１の仮想通貨証書の登録データを判断することができる。ＰＯＳデバイス１０４は、受信した償還要求を取得者１１０に送ることができる。取得者１１０は、ＰＯＳデバイス１０４および／またはサードパーティ要素（図示せず）と共に、通貨取引に使用される登録された第１の仮想通貨証書の基本的な認証チェックを実行するように動作可能とすることができる。当分野で既知の基本認証チェックの例は、「第１スクリーニング検査」、「ネガティブファイル」チェック、および／または「ベロシティファイル」チェックを含むことができる。取得者１１０および／またはサードパーティ要素は、決済ネットワーク１１２を介して発行者１１４と異なるビジネス協定を交渉するようさらに動作可能とすることができる。取得者１１０および／またはサードパーティ要素による正常な基本認証チェックに基づいて、登録された第１の仮想通貨証書に関連付けられた第１の値は、償還の準備ができているであろう。
【００３７】
一実施形態によれば、第１のユーザ１１８は、ＰＯＳデバイス１０４で直接、またはＰＯＳデバイス１０４に通信可能に結合された電子デバイス１０８で、バンクレールを使用せずに、償還要求の値を提供することができる。そのような実施形態では、ＰＯＳデバイス１０４は、キャッシュレジスタとすることができる。ＰＯＳデバイス１０４は、登録された第１の仮想通貨証書に対応する償還要求を受信するよう動作可能とすることができる。ＰＯＳデバイス１０４は、償還対象の値を、直接的にまたは電子デバイス１０８を介して、第１のユーザ１１８からさらに受信することができる。ＰＯＳデバイス１０４は、登録時にローカルメモリに格納された、検証された第１のユーザアカウントおよび第１の仮想通貨証書の登録データを判断することができる。ＰＯＳデバイス１０４は、さらに、通貨取引に使用される登録された第１の仮想通貨証書の予備認証チェックを行うことができる。ＰＯＳデバイス１０４による正常な予備認証チェックに基づいて、第１の仮想通貨証書における第１の値が償還される準備が整っていることをサーバ１０２に示すことができる。
【００３８】
一実施形態によれば、償還要求の値は、バンクレールを使用することにより、仮想プリペイドカードなどの第１の仮想通貨証書に関連付けられた第１のユーザ１１８によって提供され得る。第１の仮想通貨証書は、第１の仮想通貨証書の償還要求を生成するために、電子商取引チェックアウトポイント（図示せず）で使用することができる。第１の仮想通貨証書は、第１のマーチャントの第１のアカウントに対応することができる。電子商取引チェックアウトポイントは、償還のために第１のユーザ１１８から値を受信することができる。電子商取引チェックアウトポイントは、第１のユーザアカウントを検証し、登録時にローカルメモリに格納された第１の仮想通貨証書の登録データを判断することができる。電子商取引チェックアウトポイントは、受信した償還要求を取得者１１０に送ることができる。取得者１１０および／またはサードパーティ要素（図示せず）は、通貨取引に使用される第１の仮想通貨証書の基本的な認証チェックを実行するよう動作可能とすることができる。取得者１１０および／またはサードパーティ要素は、決済ネットワーク１１２を介して発行者１１４と異なるビジネス協定を交渉するようさらに動作可能とすることができる。取得者１１０および／またはサードパーティ要素による正常な基本認証チェックに基づいて、登録された第１の仮想通貨証書に関連付けられた第１の値は、償還の準備ができているであろう。発行者１１４は、受信した償還要求をサーバ１０２に転送して、第１の仮想通貨証書の第１の値が償還される準備ができていることを示すことができる。
【００３９】
一実施形態によれば、償還要求の値は、ＰＯＳデバイス１０４で直接、またはＰＯＳデバイス１０４に通信可能に結合された電子デバイス１０８で、バンクレールを使用せずに、第１のユーザ１１８によって提供することができる。第１のマーチャントの第１のアカウントに対応する第１の仮想通貨証書は、償還要求を生成するために電子商取引チェックアウトポイント（図示せず）で使用することができる。電子商取引チェックアウトポイントは、第１のユーザ１１８から償還される値を受信することができる。電子商取引チェックアウトポイントは、第１のユーザアカウントを検証し、登録時にローカルメモリに格納された第１の仮想通貨証書の登録データを判断することができる。電子商取引チェックアウトポイントは、受信した償還要求をサーバ１０２に転送して、第１の仮想通貨証書の第１の値が償還される準備ができていることを示すことができる。
【００４０】
一実施形態によれば、通貨取引のための償還要求の値は、登録された第１の仮想通貨証書に関連付けられた第１の値よりも小さい可能性がある。正常な基本認証チェックに基づいて、ＰＯＳデバイス１０４は、登録された第１の仮想通貨証書に関連する第１の値を償還することができる。償還に基づいて、登録された第１の仮想通貨証書の第１の残高値は、第１の値と償還要求の値との差で更新することができる。ＰＯＳデバイス１０４は、第１のユーザ１１８に通知を送信することができる。通知は、通貨取引が正常に完了したことに対応することができる。
【００４１】
ＰＯＳデバイス１０４は、登録された第１の仮想通貨証書の更新された第１の残高値を、サーバ１０２に送信するよう動作可能とすることができる。サーバ１０２は、登録された第１の仮想通貨証書の更新された第１の残高値を受け取り、償還ログを更新することができる。償還ログは、第１の仮想通貨証書の償還の詳細、第１のユーザアカウントの取引の詳細、および／または登録データの少なくとも一部に対応することができる。サーバ１０２は、要求ログをさらに生成することができる。要求ログは、通貨取引に対して受信された償還要求に対応することができる。
【００４２】
一実施形態によれば、サーバ１０２は、ＰＯＳデバイス１０４および／または電子デバイス１０８から受信したデータログに基づいて、生成された要求ログおよび／または償還ログを更新するようさらに動作可能とすることができる。データログは、受信した償還要求および処理された通貨取引に関連するタイムスタンプ、複数のアカウントに対応することができるトークン化されたデータ、ＰＯＳデバイス１０４および／または電子デバイス１０８に対応することができるトークン化されたデータ、および／または処理された通貨取引に関連するメタデータを備えることができる。データログは、１つまたは複数の履歴通貨取引に関連する履歴メタデータをさらに備えることができる。一実施形態によれば、サーバ１０２は、受信したデータログに基づいて、生成された要求ログおよび／または生成された償還ログの不一致を判断することができる。そのような実施形態では、サーバ１０２は、予め指定された処理を実行することができる。予め指定された処理は、処理された通貨取引の状態の確認、値の払い戻し、および／または第１のユーザアカウントのロックのうちの１つまたは複数とすることができる。更新された要求ログおよび／または償還ログに基づいて、サーバ１０２は、登録された第１の仮想通貨証書に関連する利用可能な第１の残高値および／または登録された１つまたは複数の他の仮想通貨証書の１つまたは複数の他の残高値を確認するよう動作可能とすることができる。利用可能な第１の残高値および／または１つもしくは複数の他の残高値は、第１のユーザ１１８および／または第１のアカウントならびに１つまたは複数の他のアカウントにそれぞれ確認することができる。
【００４３】
一実施形態によれば、償還要求の値は、登録された第１の仮想通貨証書に関連付けられた第１の値を超えてもよい。一実施形態によれば、ＰＯＳデバイス１０４は、償還要求をサーバ１０２にさらに送信することができる。そのような場合、サーバ１０２は、受信された償還要求の値が、登録された第１の仮想通貨証書に関連付けられた第１の値よりも高い、超過値を判断することができる。
【００４４】
一実施形態によれば、ＰＯＳデバイス１０４は、受信された償還要求の値が、登録された第１の仮想通貨証書に関連付けられた第１の値よりも高い、超過値を判断することができる。そのような場合、ＰＯＳデバイス１０４は、第１のユーザアカウントおよび第１の仮想通貨証書の登録データの一部と共に、サーバ１０２に償還要求を送信することができる。受信した要求に基づいて、サーバ１０２は、第１の仮想通貨証書の登録データをチェックし、第１のユーザ１１８を検証することができる。その後、サーバ１０２は、第１のユーザ１１８に関連する登録された１つまたは複数の他の仮想通貨証書を判断することができる。登録された１つまたは複数の他の仮想通貨証書は、第１のユーザ１１８の第１のユーザアカウントに基づいて、判断することができる。サーバ１０２は、登録された１つまたは複数の他の仮想通貨証書に関連する１つまたは複数の他の値と、登録された第１の仮想通貨証書に関連する第１の値との間の交換レートに基づいて、超過値をさらに変換することができる。サーバ１０２は、さらに、登録された１つまたは複数の他の仮想通貨証書に対応する１つまたは複数の他の残高値を判断することができる。
【００４５】
一実施形態によれば、登録された１つまたは複数の他の仮想通貨証書の判断は、ラウンドロビンアルゴリズムなどの無優先度スケジューリングアルゴリズムに基づくことができる。したがって、超過値は、償還のために等分に分割することができる。超過値は、登録された１つまたは複数の他の仮想通貨証書の数に基づいて等分に分割してもよい。そのような実施形態では、登録された１つまたは複数の他の仮想通貨証書に関連付けられた１つまたは複数の他の値の少なくとも一部を、超過値を等分に分割することに基づいて償還することができる。一実施形態によれば、登録された１つまたは複数の他の仮想通貨証書のシーケンスの判断は、登録された１つまたは複数の他の仮想通貨証書の優先順位に基づくことができる。第１のユーザ１１８によって定義される他の仮想通貨証書の登録された１つまたは複数の優先順位は、１つまたは複数の他の仮想通貨証書の登録時点での、第１のユーザ１１８によって提供されるユーザプレファレンスのセットに基づくことができる。一実施形態によれば、サーバ１０２は、１つまたは複数の基準に基づいて、登録された第１の仮想通貨証書および登録された１つまたは複数の他の仮想通貨証書の優先順位を集合的に判断するよう動作可能とすることができる。一実施形態によれば、サーバ１０２は、１つまたは複数の基準に基づいて、登録された１つまたは複数の他の仮想通貨証書のみの優先順位を判断するよう動作可能とすることができる。１つまたは複数の基準の例には、登録された１つまたは複数の他の仮想通貨証書に関連する１つまたは複数の他の値の順序、登録された１つまたは複数の他の仮想通貨証書に関連するサービスのカテゴリ、登録された１つまたは複数の他の仮想通貨証書に関連する１つまたは複数の他の値と、登録された第１の仮想通貨証書に関連する第１の値との間の交換レート、および第１のユーザ１１８によって提供される履歴ユーザプレファレンスの機械学習を含むことができるが、これらに限定されない。１つまたは複数の基準の他の例には、登録された１つまたは複数の他の仮想通貨証書に関連付けられた登録データ、１つまたは複数の他の仮想通貨証書の登録の順序、登録された１つまたは複数の他の仮想通貨証書の有効期限の順序、償還要求の値、および／または第１のアカウントに関連する履歴償還要求を含むことができるが、これらに限定されない。登録された１つまたは複数の他の仮想通貨証書を判断するための１つまたは複数の基準は、図２に詳細に記載されている。
【００４６】
判断された優先順位に基づいて、サーバ１０２は、登録された１つまたは複数の他の仮想通貨証書の第１のシーケンスを判断するよう動作可能とすることができる。サーバ１０２は、登録された１つまたは複数の他の仮想通貨証書を、判断された第１のシーケンスで、ＰＯＳデバイス１０４または電子デバイス１０８に送信することができる。一実施形態によれば、ＰＯＳデバイス１０４は、判断された第１のシーケンスにおける、登録された１つまたは複数の他の仮想通貨証書を表示データとして、電子デバイス１０８にさらに送信することができる。一実施形態によれば、第１のユーザ１１８は、ＰＯＳデバイス１０４または電子デバイス１０８を介して、第１のシーケンスにおける登録された１つまたは複数の他の仮想通貨証書を含む表示データにユーザプリファレンスのセットを提供することができる。ユーザプレファレンスのセットは、超過値の償還のために、ＰＯＳデバイス１０４または電子デバイス１０８からの登録された１つまたは複数の他の仮想通貨証書の選択に対応することができる。ユーザプレファレンスのセットに基づいて、登録された１つまたは複数の他の仮想通貨証書の第２のシーケンスを判断することができる。第２のシーケンスは、登録された１つまたは複数の他の仮想通貨証書の修正された優先順位を含むことができる。一実施形態によれば、第２のシーケンスは、第１のシーケンスのものと同じであってもよい。一実施形態によれば、第２のシーケンスは、第１のシーケンスとは異なっていてもよい。一実施形態によれば、第２のシーケンスは、第１のシーケンスのサブセットであってもよい。
【００４７】
一実施形態によれば、ユーザプレファレンスのセットは、超過値の償還のために、登録された１つまたは複数の他の仮想通貨証書のそれぞれに対する好ましい値をさらに含むことができる。一実施形態によれば、ユーザプレファレンスのセットは、超過値の償還のために、登録された１つまたは複数の他の仮想通貨証書のそれぞれに対して、超過値をユーザ設定部分に分割する命令をさらに含むことができる。上記の例示的な状況によれば、第２のシーケンスは、第２の仮想通貨証書のみを備えることができ、第２の仮想通貨証書に関連する第２の値の少なくとも一部が、判断された超過値に基づいて償還される。
【００４８】
一実施形態によれば、判断された第２のシーケンスは、ＰＯＳデバイス１０４または電子デバイス１０８からサーバ１０２に送信することができる。サーバ１０２は、さらに、通貨取引を処理するために、登録された１つまたは複数の他の仮想通貨証書の第２のシーケンスを認証するよう動作可能とすることができる。別の実施形態によれば、第２のシーケンスは、ＰＯＳデバイス１０４または電子デバイス１０８によって判断されない。そのような実施形態では、サーバ１０２は、通貨取引を処理するために、１つまたは複数の値に対応する、登録された１つまたは複数の他の仮想通貨証書の第１のシーケンスを認証するよう動作可能とすることができる。認証に基づいて、サーバ１０２は、第１の値の償還と、第２の仮想通貨証書などの登録された１つまたは複数の他の仮想通貨証書に関連する１つまたは複数の他の値の少なくとも一部とに基づいて、通貨取引を処理するようさらに動作可能とすることができる。第２の残高値は、認証されて登録された第２の仮想通貨証書に対応することができる。一実施形態によれば、サーバ１０２は、第１のユーザアカウントから検索された処理済通貨取引および／または履歴通貨取引の解析に基づいてリアルタイムで、または定期的に交換レートを変更するよう動作可能とすることができる。
【００４９】
サーバ１０２は、通貨取引の処理に基づいて、要求ログおよび／または償還ログを更新するようさらに動作可能とすることができる。サーバ１０２は、登録された第１の仮想通貨証書の第１の残高値と、登録された１つまたは複数の他の仮想通貨証書の１つまたは複数の他の残高値を、通貨取引が処理される場合に、更新するようさらに動作可能とすることができる。サーバ１０２は、第１のアカウントに対応する、登録された第１の仮想通貨証書の更新された第１の残高値をＰＯＳデバイス１０４に送信するようさらに動作可能とすることができる。そのような送信は、登録された第１の仮想通貨証書の第１の残高値を、次の通貨取引のために（第１のアカウントに対応する）第１のマーチャントのＰＯＳデバイス１０４で照合することができる。サーバ１０２は、ＰＯＳデバイス１０４または電子デバイス１０８に、通貨取引の正常完了の通知を送信することができる。通知は、登録された第１の仮想通貨証書の更新された第１の残高値と、登録された１つまたは複数の他の仮想通貨証書の１つまたは複数の他の残高値とを備えることができる。一実施形態によれば、通知は、第１の仮想通貨証書が有形の決済カードである場合に、ＰＯＳデバイス１０４に表示することができる。一実施形態によれば、通知は、テキストベースのメッセージとしてＰＯＳデバイス１０４または電子デバイス１０８に表示することができる。一実施形態によれば、通知は、オーディオベースのメッセージまたはビデオベースのメッセージとしてＰＯＳデバイス１０４または電子デバイス１０８で再生することができる。
【００５０】
図２は、本開示の一実施形態による、通貨取引を処理するための例示的なサーバを示すブロック図である。図２は、図１の要素と関連して説明される。図２を参照すると、サーバ１０２が示されている。サーバ１０２は、プロセッサ２０２および学習エンジン２０４などの１つまたは複数の回路を備えることができる。サーバ１０２は、メモリ２０６、知識ベース２０８などのデータベース、およびトランシーバ２１０をさらに備えることができる。プロセッサ２０２は、学習エンジン２０４、メモリ２０６、知識ベース２０８、およびトランシーバ２１０に通信可能に結合することができる。
【００５１】
プロセッサ２０２は、メモリ２０６に格納された命令のセットを実行するよう動作可能とすることができる適切なロジック、回路、インターフェース、および／またはコードを備えることができる。プロセッサ２０２は、当分野で既知の多くのプロセッサ技術に基づいて実現することができる。プロセッサ２０２の例は、Ｘ８６ベースのプロセッサ、縮小命令セットコンピューティング（ＲＩＳＣ）プロセッサ、特定用途向け集積回路（ＡＳＩＣ）プロセッサ、複合命令セットコンピューティング（ＣＩＳＣ）プロセッサ、および／または他のプロセッサとすることができる。
【００５２】
学習エンジン２０４は、時間の異なるインスタンスに第１のユーザ１１８によって提供されるユーザプレファレンスのセットを追跡するよう動作可能とすることができる適切なロジック、回路、および／またはインターフェースを備えることができる。時間の異なるインスタンスは、第１のユーザアカウントの作成時間、複数の仮想通貨証書１０６の登録時間、および／またはＰＯＳデバイス１０４もしくは電子デバイス１０８での第２のシーケンスの判断時間に対応することができる。学習エンジン２０４は、サーバ１０２によって受信された償還要求をさらに追跡することができる。学習エンジン２０４は、第１のユーザ１１８の第１のユーザアカウントなどのユーザアカウントをさらに追跡することができる。学習エンジン２０４は、ユーザプレファレンスの追跡されたセット、償還要求、および／またはユーザアカウントから知識を推定し、データを学習するようさらに動作可能とすることができる。学習エンジン２０４は、推定された知識および学習されたデータを知識ベース２０８に格納するようさらに動作可能とすることができる。学習エンジン２０４は、第１のユーザ１１８および／または第２のユーザ１２０などの別のユーザに対して、第１の仮想通貨証書および／または登録された１つもしくは複数の他の仮想通貨証書の１つまたは複数の推奨を判断するよう動作可能とすることができる。学習エンジン２０４は、人工ニューラルネットワーク（ＡＮＮ）、帰納的論理プログラミングアプローチ、サポートベクトルマシン（ＳＶＭ）、相関ルール学習アプローチ、決定木学習アプローチ、および／またはベイジアンネットワークなどの１つまたは複数のアプローチに基づいて実現することができる。
【００５３】
ある実装態様では、学習エンジン２０４は、プロセッサ２０２の一部とすることができる。別の実装態様では、学習エンジン２０４およびプロセッサ２０２の両方を、プロセッサのクラスタまたは統合プロセッサとして実現することができる。このようなプロセッサまたは統合プロセッサのクラスタは、学習エンジン２０４およびプロセッサ２０２の両方の機能を実行することができる。学習エンジン２０４の例は、Ｘ８６ベースのプロセッサ、縮小命令セットコンピューティング（ＲＩＳＣ）プロセッサ、特定用途向け集積回路（ＡＳＩＣ）プロセッサ、複合命令セットコンピューティング（ＣＩＳＣ）プロセッサ、および／または他のプロセッサとすることができる。
【００５４】
メモリ２０６は、プロセッサ２０２および／または学習エンジン２０４によって実行可能な少なくとも１つのコードセクションを伴う機械コードおよび／またはコンピュータプログラムを格納するよう動作可能とすることができる適切なロジック、回路、および／またはインターフェースを備えることができる。メモリ２０６は、第１および第２のユーザアカウントなどのユーザアカウントを格納するよう動作可能とすることができる。第１および第２のユーザアカウントは、第１のユーザ１１８および第２のユーザ１２０にそれぞれ対応する登録データを備えることができる。メモリ２０６は、それぞれ、償還要求および償還の詳細に対応することができる要求ログおよび／または償還ログ（通貨取引に関連する）を格納するようさらに動作可能とすることができる。メモリ２０６は、第１のユーザ１１８および第２のユーザ１２０などの１人または複数のユーザによって提供されるユーザプレファレンスのセットを格納するようさらに動作可能とすることができる。メモリ２０６の実装例は、ランダムアクセスメモリ（ＲＡＭ）、リードオンリメモリ（ＲＯＭ）、ハードディスクドライブ（ＨＤＤ）、および／またはセキュアデジタル（ＳＤ）カードを含むことができるが、これらに限定されない。
【００５５】
知識ベース２０８は、学習エンジン２０４によって判断された推定された知識および学習されたデータを格納するよう動作可能とすることができる適切なロジック、回路、および／またはインターフェースを備えることができる。そのような推定された知識および学習されたデータは、ユーザプレファレンスの追跡されたセット、償還要求、およびユーザアカウント（第１のユーザ１１８および／または第２のユーザ１２０に対応することができる）に関連する履歴データに基づくことができる。知識ベース２０８の実装ハードウェアの例には、フラッシュドライブ、ハードディスクドライブ（ＨＤＤ）、および／またはセキュアデジタル（ＳＤ）カードを含むことができるが、これらに限定されない。
【００５６】
トランシーバ２１０は、通信ネットワーク１１６を介して、他のサーバと通信するよう動作可能とすることができる適切なロジック、回路、インターフェース、および／またはコードを備えることができる。トランシーバ２１０は、サーバ１０２と通信ネットワーク１１６との有線または無線通信をサポートするための既知の技術を実装することができる。トランシーバ２１０は、アンテナ、無線周波数（ＲＦ）トランシーバ、１つまたは複数の増幅器、チューナ、１つまたは複数の発振器、デジタル信号プロセッサ、コーダ／デコーダ（ＣＯＤＥＣ）チップセット、加入者識別モジュール（ＳＩＭ）カード、および／またはローカルバッファを含むことができるが、これらに限定されない。トランシーバ２１０は、インターネット、イントラネット、ならびに／もしくは、携帯電話ネットワーク、無線ローカル・エリア・ネットワーク（ＬＡＮ）、および／またはメトロポリタン・エリア・ネットワーク（ＭＡＮ）などの無線ネットワークなどの無線通信を介して、ネットワークと通信することができる。無線通信は、汎欧州デジタル移動電話方式（ＧＳＭ）、拡張データＧＳＭ環境（ＥＤＧＥ）、広帯域符号分割多元接続（Ｗ−ＣＤＭＡ）、符号分割多元接続（ＣＤＭＡ）、時分割多重アクセス（ＴＤＭＡ）、ロング・ターム・エボリューション（ＬＴＥ）、Ｂｌｕｅｔｏｏｔｈ、ワイヤレス・フィディリティ（Ｗｉ−Ｆｉ）（ｅ．１２０ｇ．、ＩＥＥＥ  ８０２．１１ａ、ＩＥＥＥ  ８０２．１１ｂ、ＩＥＥＥ  ８０２．１１ｇ、および／またはＩＥＥＥ  ８０２．１１ｎ）、ボイス・オーバー・インターネット・プロトコル（ＶｏＩＰ）、Ｗｉ−ＭＡＸ、電子メール、インスタントメッセージング、および／またはショートメッセージサービス（ＳＭＳ）のためのプロトコルなどの複数の通信規格、プロトコル、および技術のいずれかを使用することができる。
【００５７】
動作中、プロセッサ２０２は、通信ネットワーク１１６を介して、ＰＯＳデバイス１０４または電子デバイス１０８に関連付けられた第１のユーザ１１８からの要求を受信するよう動作可能とすることができる。この要求は、第１のユーザアカウントを作成するために、トランシーバ２１０を介して、ＰＯＳデバイス１０４または電子デバイス１０８からプロセッサ２０２によって受信されてもよい。受信した要求に基づいて、プロセッサ２０２は、第１のユーザ１１８のための第１のユーザアカウントを作成するよう動作可能とすることができる。プロセッサ２０２は、第１のユーザ識別子、第１のユーザパスキー、および／または第１のユーザ１１８の個人データのうちの１つまたは複数を備えることができるユーザデータに基づいて第１のユーザアカウントを作成するよう動作することができる。第１のユーザ識別子は、第１のユーザ１１８によって手動で選択されてもよいし、ＰＯＳデバイス１０４または第１のユーザ１１８に関連付けられた電子デバイス１０８によって自動的に判断されてもよい。
【００５８】
一実施形態によれば、第１のユーザパスキーは、数値および／または英数字の文字列を使用することによって、第１のユーザ１１８によって手動で選択することができる。一実施形態によれば、第１のユーザパスキーは、第１のユーザ１１８の指紋パターン、手のひら形状、２次元（２Ｄ）または３次元（３Ｄ）顔面プロファイル、および／または虹彩の特徴的特性などの生体情報に基づいてプロセッサ２０２によって自動的に判断してもよい。一実施形態によれば、個人データは、第１のユーザ１１８の個人的な詳細を備えることができる。個人データは、第１のユーザ１１８に知られている選択的な家族メンバー、友人、および他の人の他のユーザアカウントの詳細に対応することができる連絡先リストをさらに備えることができる。連絡先リストに基づいて、プロセッサ２０２は、第１のユーザ１１８と第２のユーザ１２０などの別のユーザとの関連付けを判断するよう動作可能とすることができる。例えば、サーバ１０２は、第２のユーザ１２０が第１のユーザ１１８の家族メンバーまたは友人であると判断することができる。一実施形態によれば、個人データは、第１のアカウントまたはサーバ１０２に関連付けられた１つまたは複数の他のアカウントによって提供されるサービスをタグ付けおよび／または分類することができるユーザプレファレンスのセットをさらに備えることができる。第１のアカウントは第１のマーチャントに対応することができ、１つまたは複数の他のアカウントは１つまたは複数の他のマーチャントに対応することができる。
【００５９】
一実施形態によれば、プロセッサ２０２は、ＰＯＳデバイス１０４または電子デバイス１０８に関連付けられた第１のユーザ１１８からのアクセス権限を受信するよう動作可能とすることができる。アクセス権限は、トランシーバ２１０を介して、ＰＯＳデバイス１０４または電子デバイス１０８からプロセッサ２０２によって受信されてもよい。トランシーバ２１０は、通信ネットワーク１１６を介して、アクセス権限を受信するよう動作可能とすることができる。アクセス権限は、ＰＯＳデバイス１０４または電子デバイス１０８で第１のユーザ１１８によって提供することができる。受信されたアクセス権限は、作成された第１のユーザアカウントの少なくとも一部を複数のアカウントと共有するための権限のセットに対応することができる。複数のアカウントは、第１のアカウントおよび／または１つもしくは複数の他のアカウントを備えることができる。一実施形態によれば、サーバ１０２は、第１のユーザ１１８が、第２のユーザ１２０によって承諾されたアクセス権のセットに基づいて、第２のユーザ１２０に関連する第２の仮想通貨証書にアクセスすることを可能にすることができる。一実施形態によれば、複数の仮想通貨証書１０６は、第１のマーチャントの第１のアカウントにさらに対応することができる第１の仮想通貨証書に対応することができる。複数の仮想通貨証書１０６は、第１の仮想通貨証書に加えて、登録された１つまたは複数の他の仮想通貨証書に対応することができる。登録された１つまたは複数の他の仮想通貨証書は、他のマーチャントの１つまたは複数の他のアカウントにさらに対応することができる。プロセッサ２０２は、第１のアカウントまたはサーバ１０２に関連付けられた１つもしくは複数の他のアカウントによって提供されるサービスを、メモリ２０６にタグ付けおよび／または分類することができるユーザプレファレンスのセットを格納するよう動作可能とすることができる。
【００６０】
一実施形態によれば、プロセッサ２０２は、第１のユーザ１１８に関連付けられた電子デバイス１０８から、複数の仮想通貨証書１０６に関連する登録データを受信するよう動作可能とすることができる。登録データは、トランシーバ２１０を介して、電子デバイス１０８から受信することができる。登録データは、発行日、有効期限、複数の仮想通貨証書１０６の複数の残高値、複数の仮想通貨証書１０６の種類、および／または第１のユーザ１１８のユーザプレファレンスのセットを含むことができるが、これらに限定されない。プロセッサ２０２は、受信した登録データをメモリ２０６に格納するようにさら動作可能とすることができる。
【００６１】
一実施形態によれば、プロセッサ２０２は、複数の仮想通貨証書１０６の登録データに基づいて、第１のユーザ１１８に複数の仮想通貨証書１０６を登録するよう動作可能とすることができる。プロセッサ２０２は、ＰＯＳデバイス１０４または電子デバイス１０８に関連付けられた第１のユーザ１１８から複数の仮想通貨証書１０６の登録データを受信するようにさらに動作可能とすることができる。一実施形態によれば、プロセッサ２０２は、ＰＯＳデバイス１０４または電子デバイス１０８に送信することができる、作成された第１のユーザアカウントおよび／または受信した登録データの一部を判断するよう動作可能とすることができる。作成された第１のユーザアカウントおよび／または受信された登録データの部分の判断は、第１のユーザ１１８に関連する第１のアカウントおよび／または１つまたは複数の他のアカウントの種類に基づくことができる。プロセッサ２０２は、第１のユーザアカウントの検証のために、トランシーバ２１０を介して、作成された第１のユーザアカウントおよび／または受信した登録データの少なくとも一部をＰＯＳデバイス１０４に送信するようさらに動作可能とすることができる。プロセッサ２０２は、作成された第１のユーザアカウントおよび／または受信した登録データの送信された部分の正常な検証に基づいて、トランシーバ２１０を介して通知を受信するよう動作可能とすることができる。一実施形態によれば、プロセッサ２０２は、複数のアカウントからの応答を受信するようさらに動作可能とすることができる。応答は、登録された複数の仮想通貨証書１０６の複数の残高値を備えることができる。
【００６２】
応答に基づいて、プロセッサ２０２は、第１のユーザアカウントの詳細および登録された複数の仮想通貨証書１０６の複数の残高値を格納するための償還ログを生成するよう動作可能とすることができる。プロセッサ２０２は、第１のユーザ１１８に対して通知をさらに送信することができる。一実施形態によれば、通知は、ＰＯＳデバイス１０４に表示することができる。一実施形態によれば、通知は、電子デバイス１０８に表示することができる。
【００６３】
プロセッサ２０２は、償還ログをさらに更新することができる。更新された償還ログは、第１の仮想通貨証書の償還の詳細、第１のユーザアカウントの取引の詳細、および／または登録データの少なくとも一部に対応することができる。プロセッサ２０２は、ＰＯＳデバイス１０４および／または電子デバイス１０８から受信したデータログに基づいて、生成された償還ログを更新するようさらに動作可能とすることができる。プロセッサ２０２は、登録された第１の仮想通貨証書の利用可能な第１の残高値と、登録された１つまたは複数の他の仮想通貨証書の１つまたは複数の他の残高値を確認するようさらに動作可能とすることができる。利用可能な第１の残高値および／または１つもしくは複数の他の残高値は、第１のユーザ１１８および／または第１のアカウントならびに１つまたは複数の他のアカウントに確認することができる。確認は、更新された償還ログに基づくことができる。
【００６４】
一実施形態によれば、第１のユーザ１１８は、第１のマーチャントの第１のアカウントに対応する１つまたは複数の商品の購入のための通貨取引を開始することができる。第１のユーザ１１８は、登録された第１の仮想通貨証書を使用して通貨取引を開始することができる。
【００６５】
一実施形態によれば、通貨取引のための償還要求の値は、登録された第１の仮想通貨証書に関連付けられた第１の値よりも超過値の分だけ高い可能性がある。そのような場合、プロセッサ２０２は、ＰＯＳデバイス１０４または電子デバイス１０８から償還要求、登録データ、および第１のユーザアカウントの詳細を受信することができる。受信した償還要求に基づいて、プロセッサ２０２は、生成された償還要求のタイムスタンプ、受信された償還要求の生存期間、および／または他のそのような詳細を備えることができる要求ログを生成するよう動作可能とすることができる。
【００６６】
一実施形態によれば、プロセッサ２０２は、第１の仮想通貨証書の受信された登録データをチェックし、受信された要求に基づいて第１のユーザ１１８を検証するよう動作可能とすることができる。プロセッサ２０２は、受信された償還要求の値が、登録された第１の仮想通貨証書に関連付けられた第１の値よりも高い、超過値を判断することができる。その後、プロセッサ２０２は、第１のユーザ１１８に関連する登録された１つまたは複数の他の仮想通貨証書を判断することができる。登録された１つまたは複数の他の仮想通貨証書は、第１のユーザ１１８の第１のユーザアカウントに基づいて判断することができる。プロセッサ２０２は、登録された１つまたは複数の他の仮想通貨証書に関連する１つまたは複数の他の値と、登録された第１の仮想通貨証書に関連する第１の値との間の交換レートに基づいて、超過値をさらに変換することができる。プロセッサ２０２は、さらに、登録された１つまたは複数の他の仮想通貨証書の１つまたは複数の他の残高値を判断することができる。登録された１つまたは複数の他の仮想通貨証書の１つまたは複数の他の残高値は、１つまたは複数のアカウントに関連付けられた１つまたは複数のサーバから検索することができる。
【００６７】
一実施形態によれば、プロセッサ２０２は、ラウンドロビンアルゴリズムなどの無優先度スケジューリングアルゴリズムに基づいて、登録された１つまたは複数の他の仮想通貨証書を判断するよう動作可能とすることができる。したがって、超過値は、償還のために等分に分割することができる。超過値は、登録された１つまたは複数の他の仮想通貨証書の数に基づいて等分に分割してもよい。そのような実施形態では、登録された１つまたは複数の他の仮想通貨証書に関連付けられた１つまたは複数の他の値の少なくとも一部を、超過値を等分に分割することに基づいて償還することができる。一実施形態によれば、登録された１つまたは複数の他の仮想通貨証書の選択は、登録された１つまたは複数の他の仮想通貨証書の優先順位に基づくことができる。登録された１つまたは複数の他の仮想通貨証書の優先順位は、１つまたは複数の他の仮想通貨証書の登録時に、ユーザプレファレンスのセットの一部として、第１のユーザ１１８によって定義することができる。
【００６８】
一実施形態によれば、プロセッサ２０２は、メモリ２０６からユーザプレファレンスのセットを検索するよう動作可能とすることができる。ユーザプレファレンスのセットは、第１のユーザ１１８によって定義することができ、登録された複数の仮想通貨証書１０６の優先順位を判断することができる。プロセッサ２０２は、ユーザプレファレンスの検索されたセットに基づいて、登録された１つまたは複数の他の仮想通貨証書を選択するよう動作可能とすることができる。
【００６９】
一実施形態によれば、プロセッサ２０２は、登録された１つまたは複数の他の仮想通貨証書に関連する１つまたは複数の他の値の順序に基づいて、登録された１つまたは複数の他の仮想通貨証書の優先順位を判断するよう動作可能とすることができる。一実施形態によれば、プロセッサ２０２は、登録された１つまたは複数の他の仮想通貨証書に関連するサービスのカテゴリに基づいて、登録された１つまたは複数の他の仮想通貨証書の優先順位を判断するよう動作可能とすることができる。一実施形態によれば、プロセッサ２０２は、超過値に対して登録された１つまたは複数の他の仮想通貨証書と関連する１つまたは複数の他の値と、登録された第１の仮想通貨証書と関連する第１の値との間の交換レートに基づいて、登録された１つまたは複数の他の仮想通貨証書の優先順位を判断するよう動作可能とすることができる。一実施形態によれば、プロセッサ２０２は、第１のユーザ１１８の第１のユーザアカウントから検索された処理済通貨取引および／または履歴通貨取引の解析に基づいてリアルタイムで、または定期的に交換レートを変更するよう動作可能とすることができる。
【００７０】
一実施形態によれば、プロセッサ２０２は、学習エンジン２０４、メモリ２０６、および知識ベース２０８と共に、登録された１つまたは複数の他の仮想通貨証書の優先順位を判断するよう動作可能とすることができる。プロセッサ２０２は、第１のユーザ１１８によって提供される履歴ユーザプレファレンスの機械学習に基づいて、登録された１つまたは複数の他の仮想通貨証書の優先順位を判断するよう動作可能とすることができる。履歴ユーザプレファレンスは、第１のユーザ１１８によって提供される、ユーザプレファレンスの履歴セットを備えることができる。
【００７１】
一実施形態によれば、プロセッサ２０２は、登録された１つまたは複数の他の仮想通貨証書に関連付けられた登録データ、１つまたは複数の他の仮想通貨証書の登録の順序、登録された１つまたは複数の他の仮想通貨証書の有効期限の順序、償還要求の値、および／または第１のアカウントに関連する履歴償還要求に基づいて、登録された１つまたは複数の他の仮想通貨証書の優先順位を判断するよう動作可能とすることができる。
【００７２】
一実施形態によれば、プロセッサ２０２は、判断された優先順位に基づいて、第１のシーケンス内に登録された１つまたは複数の他の仮想通貨証書を配置するよう動作可能とすることができる。プロセッサ２０２は、登録された１つまたは複数の他の仮想通貨証書の第１のシーケンスをＰＯＳデバイス１０４または電子デバイス１０８に送信するように動作可能とすることができる。登録された１つまたは複数の他の仮想通貨証書の第１のシーケンスは、表示データとして、トランシーバ２１０を介して、ＰＯＳデバイス１０４または電子デバイス１０８の表示画面に表示することができる。一実施形態によれば、表示データは、登録された１つまたは複数の他の仮想通貨証書に関連する１つまたは複数の他の値の償還のための優先順位、登録された第１の仮想通貨証書および登録された１つまたは複数の他の仮想通貨証書を交換するオプション、新たな仮想通貨証書を購入するオプション、登録された第１の仮想通貨証書および／または登録された１つまたは複数の他の仮想通貨証書に関連する登録データ、ならびに／もしくは登録された第１の仮想通貨証書および登録された１つまたは複数の他の仮想通貨証書を交換することに関連する交換レートなどをさらに含むことができる。
【００７３】
一実施形態によれば、ＰＯＳデバイス１０４または電子デバイス１０８は、第１のユーザ１１８からユーザプレファレンスのセットを受信するよう動作可能とすることができる。ユーザプレファレンスのセットは、超過値の償還のために、ＰＯＳデバイス１０４または電子デバイス１０８からの登録された１つまたは複数の他の仮想通貨証書の選択に対応することができる。言い換えれば、ユーザプレファレンスのセットは、第１のシーケンスで配置された、登録された１つまたは複数の他の仮想通貨証書に対する修正された優先順位を含むことができる。ユーザプレファレンスのセットは、償還のために、登録された１つまたは複数の他の仮想通貨証書のそれぞれに対する好ましい値をさらに含むことができる。ユーザプレファレンスのセットは、償還のために、登録された１つまたは複数の他の仮想通貨証書のそれぞれに対して、超過値をユーザ設定部分に分割する命令をさらに含むことができる。一実施形態によれば、プロセッサ２０２は、トランシーバ２１０を介して、登録された１つまたは複数の他の仮想通貨証書の第２のシーケンスを受信するよう動作可能とすることができる。一実施形態によれば、第２のシーケンスは、第１のシーケンスと排他的に異なっていてもよい。
【００７４】
一実施形態によれば、プロセッサ２０２は、登録された１つまたは複数の他の仮想通貨証書の第１のシーケンスまたは第２のシーケンス（受信した場合）を認証するようさらに動作可能とすることができる。プロセッサ２０２は、登録された１つまたは複数の他の仮想通貨証書に関連付けられた１つまたは複数の他の値の少なくとも一部を認証するようさらに動作可能とすることができる。認証に基づいて、プロセッサ２０２は、通貨取引を処理するようさらに動作可能とすることができる。プロセッサ２０２は、第１の値および１つもしくは複数の他の値の少なくとも一部を償還するようさらに動作可能とすることができる。１つまたは複数の他の値は、認証され登録された１つまたは複数の他の仮想通貨証書に対応することができる。例示的な状況によれば、プロセッサ２０２は、第１の仮想通貨証書から第１の値を、第２の仮想通貨証書から第２の値の少なくとも一部を、償還することができる。第２の値は、第２のマーチャントの第２のアカウントによって提供される最高の交換レートに基づいて、プロセッサ２０２によって選択される。
【００７５】
一実施形態によれば、プロセッサ２０２は、登録された第１の仮想通貨証書の第１の残高値と、登録された１つまたは複数の他の仮想通貨証書の１つまたは複数の他の残高値を、通貨取引が処理される場合に、更新するよう動作可能とすることができる。プロセッサ２０２は、通貨取引の処理に基づいて、メモリ２０６に格納された要求ログおよび／または償還ログを更新するようさらに動作可能とすることができる。プロセッサ２０２は、登録された第１の仮想通貨証書の更新された第１の残高値を、照合のためにトランシーバ２１０を介してＰＯＳデバイス１０４に送信するようさらに動作可能とすることができる。
【００７６】
一実施形態によれば、学習エンジン２０４は、プロセッサ２０２と共に、メモリ２０６から検索された通貨取引に関連するデータに基づいて、知識を推定し、データを学習するよう動作可能とすることができる。データは、要求ログ、償還ログ、および／またはユーザプレファレンスの履歴セットを含むことができる。学習エンジン２０４は、推定された知識および学習されたデータを利用して、第２のユーザ１２０に複数の仮想通貨証書１０６の推奨を生成するよう動作可能とすることができる。学習エンジン２０４は、推定された知識および学習されたデータを利用して、登録された１つまたは複数の他の仮想通貨証書の優先順位を、１つまたは複数の通貨取引の使用頻度および完了の成功率に基づいて判断するよう動作可能とすることができる。優先順位は、第１のアカウントの１つまたは複数の性能特性および／または履歴的な通貨取引に対する１つまたは複数の他のアカウントに基づくことができる。学習エンジン２０４は、推定された知識および学習されたデータを利用して、最適な交換レートに基づいて値の変換の基準を判断するようさらに動作可能とすることができる。学習エンジン２０４は、推定された知識および学習されたデータを利用して、ユーザ介入を最小限にするために、登録された１つまたは複数の他の仮想通貨証書の第２のシーケンスを判断するためにユーザプレファレンスのセットを予測するようさらに動作可能とすることができる。学習エンジン２０４は、推定された知識および学習されたデータを知識ベース２０８に格納するよう動作可能とすることができる。
【００７７】
図３は、本開示の一実施形態による、通貨取引を処理するための例示的なＰＯＳデバイスを示すブロック図である。図３は、図１および図２の要素と関連して説明される。図３を参照すると、ＰＯＳデバイス１０４が示されている。ＰＯＳデバイス１０４は、プロセッサ３０２などの１つまたは複数の回路を備えることができる。ＰＯＳデバイス１０４は、メモリ３０４、Ｉ／Ｏデバイス３０６などの入出力（Ｉ／Ｏ）デバイス、および感知デバイス３０８をさらに備えることができる。ＰＯＳデバイス１０４は、トランシーバ３１０をさらに備えることができる。プロセッサ３０２は、メモリ３０４、Ｉ／Ｏデバイス３０６、感知デバイス３０８、およびトランシーバ３１０に通信可能に結合することができる。
【００７８】
プロセッサ３０２は、メモリ３０４に格納された命令のセットを実行するよう動作可能とすることができる適切なロジック、回路、インターフェース、および／またはコードを備えることができる。プロセッサ３０２は、第１のアカウントなどのマーチャントのアカウントにＰＯＳデバイス１０４の関連付けを確立するよう動作可能とすることができる。プロセッサ３０２は、プロセッサ２０２と同様とすることができ、図２で説明したように、当分野で既知の多くのプロセッサ技術に基づいて実現することができる。
【００７９】
メモリ３０４は、プロセッサ３０２によって実行可能な少なくとも１つのコードセクションを伴う機械コードおよび／またはコンピュータプログラムを格納するよう動作可能とすることができる適切なロジック、回路、および／またはインターフェースを備えることができる。メモリ３０４は、第１のユーザ１１８および／または第２のユーザ１２０などのユーザに対応する登録データを格納するよう動作可能とすることができる。メモリ３０４は、第１のユーザ１１８の検証のために、ＰＯＳデバイス１０４に関連付けられた第１のアカウントによって必要とされる情報を格納するようさらに動作可能とすることができる。メモリ３０４は、ＰＯＳデバイス１０４によって生成されたデータログを格納するようさらに動作可能とすることができる。メモリ３０６は、プロセッサ３０２が通貨取引を処理することを容易にすることができる、マーチャント決済システムなどの１つまたは複数の汎用ソフトウェアアプリケーションを格納するよう動作可能とすることができる。メモリ３０４の実装態様の例は、図２で説明したメモリ２０６の実装態様の例と同様とすることができる。
【００８０】
Ｉ／Ｏデバイス３０６は、入力デバイスおよび出力デバイスを備えることができる適切なロジック、回路、インターフェース、および／またはコードを備えることができる。入力デバイスは、第１のユーザ１１８などのユーザから１つまたは複数の入力を受信するよう動作可能とすることができる。出力デバイスは、第１のユーザ１１８に１つまたは複数の出力を提供するよう動作可能とすることができる。Ｉ／Ｏデバイス３０６は、複数の仮想通貨証書１０６などの仮想通貨証書の登録データを受信するよう動作可能とすることができる。Ｉ／Ｏデバイス３０６は、入力データをプロセッサ３０２および／またはメモリ３０４に通信するよう動作可能とすることができる。入力デバイスの例は、磁気カードリーダ、電子署名取得装置、スマートカードリーダ、タッチスクリーン、タッチパッド、マイクロフォン、および／またはキーボードを含むことができるが、これらに限定されない。出力デバイスの例は、表示画面および／またはスピーカを含むことができるが、これらに限定されない。
【００８１】
感知デバイス３０８は、第１のユーザ１１８などの１人または複数のユーザの生体認証情報を検出するよう動作可能とすることができる適切なロジック、回路、および／またはインターフェースを備えることができる。感知デバイス３０８の例は、指紋スキャナ、手のひら形状スキャナ、虹彩スキャナ、および／または顔面スキャナを含むことができるが、これらに限定されない。一実施形態によれば、電子署名取得デバイスおよび／または磁気カードリーダなどの感知デバイス３０８は、複数の仮想通貨証書１０６の受信、認識、識別、および／または検証を確認するための１つまたは複数のセンサを備えることができる。そのような１つまたは複数のセンサの例は、光学センサ、画像センサ、および／または磁気センサを含むことができるが、これらに限定されない。
【００８２】
トランシーバ３１０は、通信ネットワーク１１６を介して、サーバ１０２と通信するよう動作可能とすることができる適切なロジック、回路、インターフェース、および／またはコードを備えることができる。トランシーバ３１０は、ＰＯＳデバイス１０４と通信ネットワーク１１６との有線または無線通信をサポートするための既知の技術を実装することができる。トランシーバ３１０は、トランシーバ２１０（図２）について説明したように、１つまたは複数の電子部品を含むことができる。トランシーバ３１０は、インターネット、イントラネット、ならびに／もしくは、携帯電話ネットワーク、無線ローカル・エリア・ネットワーク（ＬＡＮ）、および／またはメトロポリタン・エリア・ネットワーク（ＭＡＮ）などの無線ネットワークなどの無線通信を介して、ネットワークと通信することができる。無線通信は、図２で説明したように、複数の通信規格、プロトコル、および技術のいずれかを使用することができる。
【００８３】
動作中、プロセッサ３０２は、トランシーバ３１０を介して、サーバ１０２から第１のユーザ１１８の第１のユーザアカウントの検証のための要求を受信するよう動作可能とすることができる。一実施形態によれば、第１のユーザアカウントは、第１のユーザ識別子、第１のユーザパスキー、および／または第１のユーザ１１８の個人データなどのユーザデータに基づいて、サーバ１０２で生成することができる。第１のユーザアカウントは、第１のユーザ１１８によって提供されるアクセス権限をさらに備えることができる。アクセス権限は、作成された第１のユーザアカウントの少なくとも一部を、第２のユーザ１２０などのユーザと共有するための権限のセットを備えることができる。第１のアカウントは、複数の仮想通貨証書１０６に関連する登録データをさらに備えることができる。複数の仮想通貨証書１０６は、第１のマーチャントの第１のアカウントに対応することができる第１の仮想通貨証書を備えることができる。第１の仮想通貨証書に加えて、複数の仮想通貨証書１０６は、他のマーチャントの他のアカウントに対応することができる登録された１つまたは複数の他の仮想通貨証書をさらに備えることができる。一実施形態によれば、第１の仮想通貨証書および／または１つもしくは複数の他の仮想通貨証書は、サーバ１０２に登録することができる。
【００８４】
一実施形態によれば、受信された要求は、第１のユーザアカウントの検証のために、第１のユーザアカウントおよび／または登録データの少なくとも一部を備えることができる。プロセッサ３０２は、第１のユーザ１１８の第１のユーザアカウントを検証するために、メモリ３０４から情報を検索するよう動作可能とすることができる。一実施形態によれば、第１のユーザアカウントの検証に必要な情報は、第１のアカウントおよび／または１つもしくは複数の他のアカウントの種類に基づいてカスタマイズすることができる。プロセッサ３０２は、トランシーバ３１０を介して応答を送信するようさらに動作可能とすることができる。一実施形態によれば、送信された応答は、受諾応答であってもよい。受諾応答は、第１のアカウントによる第１のユーザアカウントおよび登録データの正常な検証に対応することができる。受諾応答は、登録された複数の仮想通貨証書１０６の複数の残高値を備えることができる。
【００８５】
登録された複数の仮想通貨証書１０６は、登録された第１の仮想通貨証書と、登録された１つまたは複数の他の仮想通貨証書とを備えることができる。一実施形態によれば、送信された応答は、拒否応答であってもよい。拒否応答は、第１のアカウントによる第１のユーザアカウントおよび登録データの正常な検証に対応することができる。プロセッサ３０２は、Ｉ／Ｏデバイス３０６を介して、受諾応答または拒否応答を第１のユーザ１１８に通信するよう動作可能とすることができる。送信された受諾応答または拒否応答は、テキストベースのメッセージおよび／または音声ベースのメッセージの一方または両方に基づいて通信することができる。
【００８６】
一実施形態によれば、プロセッサ３０２は、第１のユーザ１１８からの償還要求を受信して、第１のマーチャントの第１のアカウントに対応する１つまたは複数の商品の購入のための通貨取引を開始するよう動作可能とすることができる。受信された償還要求は、複数の仮想通貨証書１０６の登録された第１の仮想通貨証書に関連付けられた第１の値の償還に対応することができる。償還要求に基づいて、通貨取引を開始することができる。一実施形態によれば、第１の仮想通貨証書は、デジタル・モバイル・ウォレット・アプリなどの仮想通貨証書に対応することができる。受信された償還要求は、ＰＯＳデバイス１０４による電子デバイス１０８のタッピング操作によって開始することができる。タッピング操作に基づいて、電子デバイス１０８とＰＯＳデバイス１０４との間にＮＦＣベースの非接触接続を確立することができる。確立された接続に基づいて、プロセッサ３０２は、第１の仮想通貨証書の登録データおよび第１のユーザ１１８の第１のユーザアカウントを受信するよう動作可能とすることができる。
【００８７】
一実施形態によれば、第１の仮想通貨証書は、第１のユーザ１１８が所有する銀行カードなどの有形の決済カードに対応することができる。プロセッサ３０２は、感知デバイス３０８を用いた有形の決済カードのスワイプ操作またはスキャン操作に基づいて、有形の決済証書の登録データを受信するよう動作可能とすることができる。感知デバイス３０８は、有形の決済カードの受領、認識、識別、および／または検証を確認するよう動作可能とすることができる。感知デバイス３０８は、有形の決済カードのスワイプ操作またはスキャン操作に基づいて、有形の決済カードから登録データを検索するよう動作可能とすることができる。感知デバイス３０８は、登録データをプロセッサ３０２に通信するようさらに動作可能とすることができる。一実施形態によれば、感知デバイス３０８は、登録データをメモリ３０４に格納するよう動作可能とすることができる。
【００８８】
一実施形態によれば、登録データは、償還のために開始された通貨取引に対応することができる。一実施形態によれば、プロセッサ３０２は、メモリ３０４から検索されたマーチャント決済システムなどの汎用ソフトウェアアプリケーションを実行するよう動作可能とすることができる。一実施形態では、第１のユーザ１１８は、償還要求の値を手動で提供することができる。一実施形態では、プロセッサ３０２は、購入対象の、１つまたは複数の商品が、バーコードリーダなどの関連するＩ／Ｏデバイス３０６によってスキャンされる場合、償還要求の値を自動的に判断することができる。一実施形態によれば、プロセッサ３０２は、通貨取引のための償還要求の値が、登録された第１の仮想通貨証書に関連付けられた第１の値よりも小さいことを判断するよう動作可能とすることができる。プロセッサ３０２は、登録された第１の仮想通貨証書に関連する第１の値を償還するよう動作可能とすることができる。プロセッサ３０２は、メモリ３０４において、第１の値と受信値の差に基づいて、登録された第１の仮想通貨証書の第１の残高値を更新するようさらに動作可能とすることができる。プロセッサ３０２は、トランシーバ３１０を介して、（第１のユーザ１１８に関連する）電子デバイス１０８に通知を送信するようさらに動作可能とすることができる。一実施形態によれば、Ｉ／Ｏデバイス３０６は、通知を表示するよう動作可能とすることができる。通知は、開始された通貨取引の完了に対応することができる。
【００８９】
一実施形態によれば、プロセッサ３０２は、トランシーバを介して、登録された第１の仮想通貨証書の更新された第１の残高値をサーバ１０２に送信するよう動作可能とすることができる。プロセッサ３０２は、１つまたは複数の通貨取引に基づいて、メモリ３０４に格納されたローカルデータログを更新するようさらに動作可能とすることができる。一実施形態によれば、更新されたデータログは、トランシーバ３１０を介してサーバ１０２に送信されて、サーバ１０２で生成された要求ログおよび／または償還ログを更新することができる。
【００９０】
一実施形態によれば、プロセッサ３０２は、通貨取引のための償還要求の値が、登録された第１の仮想通貨証書に関連付けられた第１の値よりも大きいことを判断するよう動作可能とすることができる。一実施形態によれば、プロセッサ３０２は、受信された償還要求の値が、登録された第１の仮想通貨証書に関連付けられた第１の値よりも高い、超過値を判断するよう動作可能とすることができる。一実施形態によれば、プロセッサ３０２は、償還要求をトランシーバ３１０を介してサーバ１０２に送信するよう動作可能とすることができる。プロセッサ３０２は、第１のユーザアカウントおよび第１の仮想通貨証書の登録データの一部をトランシーバ３１０を介してサーバ１０２に送信するようさらに動作可能とすることができる。
【００９１】
送信された要求に基づいて、サーバ１０２は、第１のユーザ１１８および第１の仮想通貨証書の登録データを検証することができる。サーバ１０２は、第１のユーザ１１８により登録された、登録された１つまたは複数の他の仮想通貨証書の優先順位を判断することができる。この判断に基づいて、プロセッサ３０２は、登録された１つまたは複数の他の仮想通貨証書の第１のシーケンスを受信するよう動作可能とすることができる。プロセッサ３０２は、登録された１つまたは複数の他の仮想通貨証書の１つまたは複数の他の残高値を受信するようさらに動作可能とすることができる。プロセッサ３０２は、（受信した第１のシーケンス内の）登録された１つまたは複数の他の仮想通貨証書の１つまたは複数の残高値をメモリ３０４に格納するようにさらに動作することができる。一実施形態によれば、プロセッサ３０２は、登録された１つまたは複数の他の仮想通貨証書の受信した第１のシーケンスを電子デバイス１０８に送信するよう動作可能とすることができる。
【００９２】
プロセッサ３０２は、登録された１つまたは複数の他の仮想通貨証書の第２のシーケンスを判断するよう動作可能とすることができる。一実施形態によれば、第２のシーケンスは、第１のユーザ１１８によって提供されるユーザプレファレンスのセットに基づいて判断することができる。一実施形態によれば、第２のシーケンスは、第１のシーケンスのものと同じであってもよい。一実施形態によれば、第２のシーケンスは、第１のシーケンスとは異なっていてもよい。一実施形態によれば、第２のシーケンスは、第１のシーケンスのサブセットであってもよい。例示的な状況では、第２のシーケンスは、第２の仮想通貨証書などの、登録された１つの仮想通貨証書のみを備えることができる。例示的な実施形態によれば、第２の仮想通貨証書に関連する第２の値の少なくとも一部は、判断された超過値に基づいて償還することができる。一実施形態によれば、プロセッサ３０２は、超過値の償還のために、電子デバイス１０８から１つまたは複数の他の登録された仮想通貨証書の選択を受信するよう動作可能とすることができる。プロセッサ３０２は、受信した選択に基づいて、登録された１つまたは複数の他の仮想通貨証書の第２のシーケンスを判断するよう動作可能とすることができる。
【００９３】
一実施形態によれば、プロセッサ３０２は、第２のシーケンスの認証のために、判断された第２のシーケンスをサーバ１０２に送信するよう動作可能とすることができる。一実施形態によれば、プロセッサ３０２は、電子デバイス１０８から第２のシーケンスを受信しない可能性がある。このような場合、プロセッサ３０２は、サーバ１０２に信号を送信して、第１のシーケンスを続けることができる。通貨取引がサーバ１０２で処理される場合、プロセッサ３０２は、登録された第１の仮想通貨証書の更新された第１の残高値と、登録された１つまたは複数の他の仮想通貨証書の１つまたは複数の他の残高値とを受信するよう動作可能とすることができる。更新された残高値は、トランシーバ３１０を介して受信することができる。
【００９４】
第１の仮想通貨証書の受信した更新値に基づいて、プロセッサ３０２は、登録された第１の仮想通貨証書に関連する第１の残高値を照合するようさらに動作可能とすることができる。プロセッサ３０２は、第１の残高値の照合後に第１のユーザ１１８に通知を通信するようさらに動作可能とすることができる。通知は、通貨取引が正常に完了したことに対応することができる。一実施形態によれば、Ｉ／Ｏデバイス３０６は、第１の仮想通貨証書が有形の決済カードである場合に通知を表示するよう動作可能とすることができる。一実施形態によれば、プロセッサ３０２は、第１の仮想通貨証書が仮想通貨証書である場合に電子デバイス１０８に通知を送信するよう動作可能とすることができる。
【００９５】
図４は、本開示の一実施形態による、通貨取引を処理するための例示的な電子デバイスを示すブロック図である。図４は、図１から図３の要素と関連して説明される。図４を参照すると、電子デバイス１０８が示される。電子デバイス１０８は、プロセッサ４０２などの１つまたは複数の回路を備えることができる。電子デバイス１０８は、メモリ４０４、Ｉ／Ｏデバイス４０６などの入出力（Ｉ／Ｏ）デバイス、および感知デバイス４０８をさらに備えることができる。電子デバイス１０８は、トランシーバ４１０をさらに備えることができる。プロセッサ４０２は、メモリ４０４、Ｉ／Ｏデバイス４０６、感知デバイス４０８、およびトランシーバ４１０に通信可能に結合することができる。
【００９６】
プロセッサ４０２は、メモリ４０４に格納された命令のセットを実行するよう動作可能とすることができる適切なロジック、回路、インターフェース、および／またはコードを備えることができる。プロセッサ４０２は、第１のユーザ１１８へのインターフェースを提供して、通貨取引を処理するように動作可能とすることができる。プロセッサ４０２は、プロセッサ２０２と同様とすることができ、図２で説明したように、当分野で既知の多くのプロセッサ技術に基づいて実現することができる。
【００９７】
メモリ４０４は、プロセッサ４０２によって実行可能な少なくとも１つのコードセクションを伴う機械コードおよび／またはコンピュータプログラムを格納するよう動作可能とすることができる適切なロジック、回路、および／またはインターフェースを備えることができる。メモリ４０４は、電子デバイス１０８をスマートＰＯＳデバイス１０４ａとして構成して、通貨取引を処理することを容易にすることができるソフトウェアアプリケーションを格納するよう動作可能とすることができる。メモリ４０４は、第１のユーザ１１８および／または第２のユーザ１２０などのユーザに対応する登録データを格納するようさらに動作可能とすることができる。メモリ４０４は、第１のユーザ１１８の検証のために、ＰＯＳデバイス１０４に関連付けられた第１のアカウントによって必要とされる情報を格納するようさらに動作可能とすることができる。メモリ４０４の実装態様の例は、図２で説明したメモリ２０６の実装態様の例と同様とすることができる。
【００９８】
Ｉ／Ｏデバイス４０６は、入力デバイスおよび出力デバイスを備えることができる適切なロジック、回路、インターフェース、および／またはコードを備えることができる。入力デバイスは、第１のユーザ１１８などのユーザから１つまたは複数の入力を受信するよう動作可能とすることができる。出力デバイスは、第１のユーザ１１８に１つまたは複数の出力を提供することができる。Ｉ／Ｏデバイスは、複数の仮想通貨証書１０６などの仮想通貨証書の登録データを受信するよう動作可能とすることができる。Ｉ／Ｏデバイス４０６は、入力データをプロセッサ４０２および／またはメモリ４０４に通信するよう動作可能とすることができる。Ｉ／Ｏデバイス４０６の実装態様の例は、図３で説明したＩ／Ｏデバイス３０６の実装態様の例と同様とすることができる。
【００９９】
感知デバイス４０８は、第１のユーザ１１８などの１人または複数のユーザの生体認証情報を検出するよう動作可能とすることができる適切なロジック、回路、および／またはインターフェースを備えることができる。感知デバイス４０８の実装態様の例は、図３で説明した感知デバイス３０８の実装態様の例と同様とすることができる。
【０１００】
トランシーバ４１０は、通信ネットワーク１１６を介して、サーバ１０２と通信するよう動作可能とすることができる適切なロジック、回路、インターフェース、および／またはコードを備えることができる。トランシーバ４１０は、電子デバイス１０８と通信ネットワーク１１６との有線または無線通信をサポートするための既知の技術を実装することができる。トランシーバ４１０は、トランシーバ２１０（図２）について説明したように、１つまたは複数の電子部品を含むことができる。トランシーバ４１０は、インターネット、イントラネット、ならびに／もしくは、携帯電話ネットワーク、無線ローカル・エリア・ネットワーク（ＬＡＮ）、および／またはメトロポリタン・エリア・ネットワーク（ＭＡＮ）などの無線ネットワークなどの無線通信を介して、ネットワークと通信することができる。無線通信は、図２で説明したように、複数の通信規格、プロトコル、および技術のいずれかを使用することができる。
【０１０１】
動作中、プロセッサ４０２は、第１のユーザ１１８の第１のユーザアカウントの作成を要求するよう動作可能とすることができる。要求は、直接、またはＰＯＳデバイス１０４を介して、サーバ１０２に送信することができる。一実施形態によれば、第１のユーザアカウントは、Ｉ／Ｏデバイス４０６を介して、プロセッサ４０２によって送信された、ユーザデータに基づいて、サーバ１０２で作成することができる。プロセッサ４０２は、Ｉ／Ｏデバイス４０６を介して、第１のユーザ１１８によって提供されるアクセス権限を受信するようさらに動作可能とすることができる。アクセス権限は、作成された第１のユーザアカウントの少なくとも一部を、他のアカウントを伴う第２のユーザ１２０などのユーザと共有するための権限のセットを備えることができる。プロセッサ４０２は、複数の仮想通貨証書１０６に関連する登録データを受信するようさらに動作可能とすることができる。複数の仮想通貨証書１０６は、第１のマーチャントの第１のアカウントに対応することができる第１の仮想通貨証書に対応することができる。第１の仮想通貨証書に加えて、複数の仮想通貨証書１０６は、１つまたは複数の他のマーチャントの１つまたは複数の他のアカウントに対応することができる登録された１つまたは複数の他の仮想通貨証書にさらに対応することができる。
【０１０２】
一実施形態によれば、検証要求は、ＰＯＳデバイス１０４によってサーバ１０２に送信することができる。検証要求は、第１のユーザアカウントの検証のために、第１のユーザアカウントおよび／または複数の仮想通貨証書１０６の登録データの少なくとも一部を備えることができる。サーバ１０２による第１のユーザアカウントの検証に基づいて、プロセッサ４０２は、第１のユーザ１１８を伴う複数の仮想通貨証書１０６の正常な登録に対応する通知を受信することができる。一実施形態によれば、プロセッサは、複数の仮想通貨証書１０６の複数の残高値をさらに受信して、第１のユーザ１１８の情報を表示することができる。
【０１０３】
一実施形態によれば、プロセッサ４０２は、通貨取引を処理するために、登録された第１の仮想通貨証書の償還要求を生成するよう動作可能とすることができる。償還要求は、第１のマーチャントの第１のアカウントに対応する１つまたは複数の商品の購入のために生成することができる。一実施形態によれば、償還要求は、ＰＯＳデバイス１０４による電子デバイス１０８のタッピング操作によって生成することができる。タッピング操作に基づいて、電子デバイス１０８とＰＯＳデバイス１０４との間にＮＦＣベースの非接触接続を確立することができる。受信された償還要求は、複数の仮想通貨証書１０６の登録された第１の仮想通貨証書に関連付けられた第１の値の償還に対応することができる。償還要求に基づいて、通貨取引を開始することができ、接続を確立することができる。確立された接続に基づいて、プロセッサ４０２は、第１の仮想通貨証書の登録データおよび第１のユーザ１１８の第１のユーザアカウントをＰＯＳデバイス１０４またはサーバ１０２に送信するよう動作可能とすることができる。
【０１０４】
一実施形態によれば、プロセッサ４０２は、通信ネットワーク１１６に実装されたセキュアプロトコルに基づいて、サーバ１０２と電子デバイス１０８との間に安全な接続を確立することによって通貨取引を開始するよう動作可能とすることができる。一実施形態によれば、プロセッサ４０２は、生体認証情報および／またはジェスチャを含むことができるユーザ入力に基づいて通貨取引を開始するよう動作可能とすることができる。感知デバイス４０８は、第１のユーザ１１８に対応することができるメモリ４０４に予め格納された情報に基づいて、受信された生体認証情報および／またはジェスチャを検証するよう動作可能とすることができる。確立された安全な接続に基づいて、プロセッサ４０２は、第１の仮想通貨証書の登録データをＰＯＳデバイス１０４またはサーバ１０２に送信するよう動作可能とすることができる。一実施形態によれば、プロセッサ４０２は、メモリ４０４から検索されたソフトウェアアプリケーションを実行するよう動作可能とすることができる。ソフトウェアアプリケーションの実行に基づいて、プロセッサ４０２は、電子デバイス１０８をスマートＰＯＳデバイス１０４ａとして構成することができる。
【０１０５】
一実施形態によれば、通貨取引のための償還要求の値は、登録された第１の仮想通貨証書に関連付けられた第１の値よりも小さい可能性がある。登録された第１の仮想通貨証書に関連する第１の値は、償還要求の値に基づいて償還することができる。プロセッサ４０２は、トランシーバ４１０を介して、登録された第１の仮想通貨証書の更新された第１の残高値を備えることができる通知を受信するようさらに動作可能とすることができる。更新された第１の残高値は、第１の値と償還要求の値との差に対応することができる。プロセッサ４０２は、Ｉ／Ｏデバイス４０６の使用に基づいて、第１のユーザ１１８に対する受信通知を表示または再生するようさらに動作可能とすることができる。一実施形態によれば、Ｉ／Ｏデバイス４０６は、通知を表示または再生するよう動作可能とすることができる。通知は、開始された通貨取引の完了に対応することができる。
【０１０６】
一実施形態によれば、通貨取引のための償還要求の値は、登録された第１の仮想通貨証書に関連付けられた第１の値を超える可能性がある。そのような場合、サーバ１０２は、受信された償還要求の値が、登録された第１の仮想通貨証書に関連付けられた第１の値よりも高い、超過値を判断することができる。サーバ１０２は、第１のユーザ１１８により登録された、登録された１つまたは複数の他の仮想通貨証書の優先順位を判断することができる。この判断に基づいて、プロセッサ４０２は、トランシーバ４１０を介して、サーバ１０２またはＰＯＳデバイス１０４からの表示データとして、第１のユーザ１１８の登録された１つまたは複数の他の仮想通貨証書の第１のシーケンスを受信するよう動作可能とすることができる。プロセッサ４０２は、登録された１つまたは複数の他の仮想通貨証書の１つまたは複数の他の残高値を受信するようさらに動作可能とすることができる。
【０１０７】
一実施形態によれば、受信された第１のシーケンスは、優先順位に基づくシーケンスで構成された、登録された１つまたは複数の他の仮想通貨証書を備えることができる。優先順位は、１つまたは複数の基準に基づいて判断することができる。１つまたは複数の基準の例には、登録された１つまたは複数の他の仮想通貨証書に関連する１つまたは複数の他の値の順序、登録された１つまたは複数の他の仮想通貨証書に関連するサービスのカテゴリ、登録された１つまたは複数の他の仮想通貨証書に関連する１つまたは複数の他の値と登録された第１の仮想通貨証書との間の交換レート、および第１のユーザ１１８によって提供される履歴ユーザプレファレンスの機械学習を含むことができるが、これらに限定されない。
【０１０８】
一実施形態によれば、プロセッサ４０２は、表示データから、登録された１つまたは複数の他の仮想通貨証書を選択するために、ユーザプレファレンスのセットを受信するよう動作可能とすることができる。ユーザプレファレンスのセットは、Ｉ／Ｏデバイス４０６を介して受信することができる。ユーザプレファレンスのセットに基づいて、プロセッサ４０２は、登録された１つまたは複数の他の仮想通貨証書の第２のシーケンスを判断するために第１のシーケンスを修正するよう動作可能とすることができる。一実施形態によれば、第２のシーケンスは、登録された１つまたは複数の他の仮想通貨証書に対する修正された優先順位を含むことができる。一実施形態によれば、第２のシーケンスは、第１のシーケンスのものと同じであってもよい。一実施形態によれば、第２のシーケンスは、第１のシーケンスとは異なっていてもよい。
【０１０９】
一実施形態によれば、プロセッサ４０２は、トランシーバ４１０を介して第２のシーケンスをサーバ１０２またはＰＯＳデバイス１０４に送信するよう動作可能とすることができる。一実施形態によれば、登録された１つまたは複数の他の仮想通貨証書に関連する１つまたは複数の他の値の少なくとも一部は、判断された超過値に基づいて償還することができる。
【０１１０】
一実施形態によれば、プロセッサ４０２は、サーバ１０２またはＰＯＳデバイス１０４からの通貨取引の処理に対応することができる通知を受信するよう動作可能とすることができる。一実施形態によれば、受信した通知は、登録された第１の仮想通貨証書の更新された第１の残高値と、登録された１つまたは複数の他の仮想通貨証書の１つまたは複数の他の残高値とを含むことができる。
【０１１１】
図５は、本開示の一実施形態による、第１のユーザ１１８が１つまたは複数の仮想通貨証書を登録するための第１の例示的なタイミング図を示す。図５は、図１から図４の要素と関連して説明される。第１の例示的なタイミング図５００は、サーバ１０２、ＰＯＳデバイス１０４、および第１のユーザ１１８を含むことができる
【０１１２】
図５を参照すると、ユーザアカウントの作成および１つまたは複数の仮想通貨証書のサーバ１０２での登録に対する状況を示す第１の例示的なタイミング図４００が示される。ユーザは、第１のユーザ１１８に対応することができる。１つまたは複数の仮想通貨証書は、複数の仮想通貨証書１０６に対応することができる。複数の仮想通貨証書１０６は、登録された第１の仮想通貨証書と、登録された１つまたは複数の他の仮想通貨証書とを備えることができる。第１の仮想通貨証書は、第１のマーチャントの第１のアカウントに対応することができる。登録された１つまたは複数の他の仮想通貨証書は、１つまたは複数の他のマーチャントの１つまたは複数の他のアカウントに対応することができる。
【０１１３】
時間「Ｔ＿５０１」において、第１のユーザ１１８は、要求をサーバ１０２に提供して、第１のユーザアカウントを作成することができる。要求は、電子デバイス１０８を介して提供することができる。第１のユーザアカウントの作成のための要求は、第１のユーザ識別子、第１のユーザパスキー、および／または第１のユーザ１１８の個人データなどのユーザデータを備えることができる。時間「Ｔ＿５０２」において、サーバ１０２は、第１のユーザ１１８からの受信された要求に基づいて第１のユーザアカウントを作成することができる。
【０１１４】
時間「Ｔ＿５０３」において、第１のユーザ１１８は、登録のために複数の仮想通貨証書１０６に関連する登録データをサーバ１０２にさらに送信することができる。時間「Ｔ＿５０４」において、サーバ１０２は、受信した登録データを、作成された第１のユーザアカウントに格納することができる。時間「Ｔ＿５０５」において、サーバ１０２は、第１のユーザアカウントの検証のために、作成された第１のユーザアカウントおよび／または登録データの少なくとも一部をＰＯＳデバイス１０４に送信することができる。
【０１１５】
時間「Ｔ＿５０６」において、ＰＯＳデバイス１０４は、検証に基づいて応答を判断することができる。時間「Ｔ＿５０７」において、ＰＯＳデバイス１０４は、第１のアカウントおよび／または１つもしくは複数の他のアカウントに対する応答を第１のユーザ１１８に送信することができる。応答は、登録された複数の仮想通貨証書１０６の複数の残高値を備えることができる。時間「Ｔ＿５０８」において、ＰＯＳデバイス１０４は、第１のアカウントおよび／または１つもしくは複数の他のアカウントに対する応答をサーバ１０２に送信することができる。
【０１１６】
時間「Ｔ＿５０９」において、サーバ１０２は、電子デバイス１０８に第１のユーザアカウントの作成および複数の仮想通貨証書１０６の正常な登録の確認を送信することができる。時間「Ｔ＿５１０」において、サーバ１０２は、ＰＯＳデバイス１０４に第１のユーザアカウントの作成および複数の仮想通貨証書１０６の正常な登録の確認を送信することができる。確認はまた、登録された複数の仮想通貨証書１０６の複数の残高値の確認応答を備えることができる。
【０１１７】
図６は、本開示の一実施形態による、第１の通貨取引を処理するために開示された方法およびシステムを実施するための第２の例示的なタイミング図を示す。図６は、図１から図５の要素と関連して説明される。図６を参照すると、第２の例示的なタイミング図６００が示される。第２の例示的なタイミング図６００は、サーバ１０２、ＰＯＳデバイス１０４、および第１のユーザ１１８を含むことができる。
【０１１８】
時間「Ｔ＿６０１」において、第１のユーザ１１８は、第１のマーチャントの第１のアカウントに対応する１つまたは複数の商品の購入のために通貨取引を開始するため、償還要求を生成することができる。第１のユーザ１１８は、ＰＯＳデバイス１０４または電子デバイス１０８を介して、登録された第１の仮想通貨証書を使用して通貨取引を開始することができる。電子デバイス１０８に関連付けられた第１のユーザ１１８は、モバイル・ウォレット・ポイントなどの、登録された第１の仮想通貨証書の登録データの少なくとも一部を、ＰＯＳデバイス１０４に送信することができる。
【０１１９】
時間「Ｔ＿６０２」において、ＰＯＳデバイス１０４は、登録された第１の仮想通貨証書の登録データの一部を受信することができる。一実施形態によれば、ＰＯＳデバイス１０４は、有形の決済カードなどの、登録された第１の仮想通貨証書の登録データの部分を判断することができる。時間「Ｔ＿６０３」において、ＰＯＳデバイス１０４は、登録された第１の仮想通貨証書に関連付けられた第１の値が、償還要求の値よりも超過値の分だけ高いと判断することができる。ＰＯＳデバイス１０４は、償還要求の値に対して第１の値を償還することができる。償還に基づいて、登録された第１の仮想通貨証書の第１の残高値は、第１の値と償還要求の値との差で更新することができる。
【０１２０】
時間「Ｔ＿６０４」において、ＰＯＳデバイス１０４は、電子デバイス１０８に関連付けられた第１のユーザ１１８に通知を送信することができる。通知は、通貨取引が正常に完了したことに対応することができる。通知は、登録された第１の仮想通貨証書の更新された第１の残高値をさらに備えることができる。時間「Ｔ＿６０５」において、ＰＯＳデバイス１０４は、登録された第１の仮想通貨証書の更新された第１の残高値を、サーバ１０２に送信することができる。ＰＯＳデバイス１０４は、処理された通貨取引に対応する更新されたデータログを照合のためにサーバ１０２に送信するようさらに動作可能とすることができる。
【０１２１】
図７は、本開示の一実施形態による、第２の通貨取引を処理するために開示された方法およびシステムを実施するための第３の例示的なタイミング図を示す。図７は、図１から図５の要素と関連して説明される。図７を参照すると、第３の例示的なタイミング図７００が示される。第３の例示的なタイミング図７００は、サーバ１０２、ＰＯＳデバイス１０４、および第１のユーザ１１８を含むことができる。
【０１２２】
時間「Ｔ＿７０１」において、第１のユーザ１１８は、第１のマーチャントの第１のアカウントに対応する１つまたは複数の商品の購入のために通貨取引を開始するため、償還要求を生成することができる。第１のユーザ１１８は、ＰＯＳデバイス１０４または電子デバイス１０８を介して、登録された第１の仮想通貨証書を使用して通貨取引を開始することができる。
【０１２３】
時間「Ｔ＿７０２」において、ＰＯＳデバイス１０４は、登録された第１の仮想通貨証書の登録データの一部を判断することができる。ＰＯＳデバイス１０４は、登録された第１の仮想通貨証書に関連する第１の値が償還要求の値よりも小さいと判断するようさらに動作可能とすることができる。時間「Ｔ＿７０３」において、ＰＯＳデバイス１０４は、償還要求をサーバ１０２に送信することができる。ＰＯＳデバイス１０４は、第１のユーザアカウントおよび第１の仮想通貨証書の登録データをサーバ１０２にさらに送信することができる。一実施形態によれば、送信された償還要求は、通貨取引を処理するために、１つまたは複数の他のアカウントの登録された１つまたは複数の他の仮想通貨証書を使用するための異なるオプションの要求に対応することができる。
【０１２４】
時間「Ｔ＿７０４」において、サーバ１０２は、第１の仮想通貨証書の登録データをチェックし、第１のユーザ１１８を検証することができる。検証に基づいて、サーバ１０２は、第１のユーザ１１８に登録された１つまたは複数の他の仮想通貨証書を判断するようさらに動作可能とすることができる。登録された１つまたは複数の他の仮想通貨証書は、第１のユーザ１１８の第１のユーザアカウントに基づいて判断することができる。登録された１つまたは複数の他の仮想通貨証書の選択は、登録された１つまたは複数の他の仮想通貨証書の優先順位に基づくことができる。サーバ１０２は、判断された優先順位に基づいて、登録された１つまたは複数の他の仮想通貨証書を第１のシーケンスで構成することができる。時間「Ｔ＿７０５」において、サーバ１０２は、登録された１つまたは複数の他の仮想通貨証書の第１のシーケンスをＰＯＳデバイス１０４に送信することができる。時間「Ｔ＿７０６」において、ＰＯＳデバイス１０４は、登録された１つまたは複数の他の仮想通貨証書の受信した第１のシーケンスを、第１のユーザ１１８に関連付けられた電子デバイス１０８に送信することができる。
【０１２５】
時間「Ｔ＿７０７」において、第１のユーザ１１８は、電子デバイス１０８を介して、ユーザプレファレンスのセットに基づいて、登録された１つまたは複数の他の仮想通貨証書の第２のシーケンスを提供することができる。ユーザプレファレンスのセットは、超過値の償還のために、電子デバイス１０８からの登録された１つまたは複数の他の仮想通貨証書の選択に対応することができる。ユーザプレファレンスのセットは、超過値の償還のために、登録された１つまたは複数の他の仮想通貨証書のそれぞれに対する好ましい値をさらに含むことができる。ユーザプレファレンスのセットは、超過値の償還のために、登録された１つまたは複数の他の仮想通貨証書のそれぞれに対して、超過値をユーザ設定部分に分割する命令をさらに含むことができる。言い換えれば、登録された１つまたは複数の他の仮想通貨証書に関連付けられた１つまたは複数の値の少なくとも一部を、償還のために判断することができる。時間「Ｔ＿７０８」において、第２のシーケンスを、ＰＯＳデバイス１０４に送信することができる。
【０１２６】
時間「Ｔ＿７０９」において、ＰＯＳデバイス１０４は、受信した第２のシーケンスをサーバ１０２に送信することができる。時間「Ｔ＿７１０」において、受信した第２のシーケンスに基づいて、サーバ１０２は、登録された１つまたは複数の他の仮想通貨証書の受信された第２のシーケンスを認証することができる。サーバ１０２は、登録された１つまたは複数の他の仮想通貨証書に関連する１つまたは複数の値の少なくとも一部をさらに認証することができる。時間「Ｔ＿７１１」において、認証に基づいて、サーバ１０２は、第１の値および１つまたは複数の他の値の少なくとも一部の償還に基づいて、通貨取引を処理することができる。１つまたは複数の他の値は、認証され登録された１つまたは複数の他の仮想通貨証書に対応することができる。
【０１２７】
時間「Ｔ＿７１２」において、サーバ１０２は、通貨取引が処理された場合、第１の仮想通貨証書の第１の値と、登録された１つまたは複数の他の仮想通貨証書に関連付けられた１つまたは複数の他の値とを更新することができる。時間「Ｔ＿７１３」において、サーバ１０２は、登録された第１の仮想通貨証書の更新された第１の残高値および登録された１つまたは複数の他の仮想通貨証書の１つまたは複数の他の残高値をＰＯＳデバイス１０４に送信することができる。時間「Ｔ＿７１４」において、登録された第１の仮想通貨証書の更新された第１の残高値および登録された１つまたは複数の他の仮想通貨証書の１つまたは複数の他の残高値を表示することができる。時間「Ｔ＿７１５」において、ＰＯＳデバイス１０４は、登録された第１の仮想通貨証書の第１の残高値の照合のために、更新された第１の残高値を利用することができる。
【０１２８】
時間「Ｔ＿７１６」において、受信した更新された第１の残高値および／または１つもしくは複数の他の残高値に基づいて、ＰＯＳデバイス１０４は、第１のユーザ１１８に関連する電子デバイス１０８に通知を送信することができる。通知は、登録された第１の仮想通貨証書の更新された第１の残高値と、登録された１つまたは複数の他の仮想通貨証書の１つまたは複数の他の残高値とを確認することができるメッセージに対応することができる。通知は、処理された通貨取引を確認することができるメッセージにさらに対応することができる。
【０１２９】
実施形態により、図５から図７に記載されたステップのいくつかのタイミングシーケンスは、本開示の範囲から逸脱することなく変更することができることが理解されよう。さらに、いくつかのステップを省略して、他の追加のステップを追加してもよい。
【０１３０】
図８は、本開示の一実施形態による、通貨取引を処理するために開示された方法およびシステムを実施するための例示的な状況を示す。図８は、図１から図４の要素と関連して説明される。図８を参照すると、サーバ１０２などの例示的なサーバを備える例示的な状況８００が示されている。サーバ１０２は、１つまたは複数の他のサーバに関連付けることができる。１つまたは複数の他のサーバは、それぞれ第１のアカウント１０２ａ、第２のアカウント１０２ｂ、および／または第３のアカウント１０２ｃなどの１つまたは複数のアカウントに関連付けることができる。第１のアカウント１０２ａは、第１のマーチャントに対応することができる。第２のアカウント１０２ｂは、第２のマーチャントに対応することができる。第３のアカウント１０２ｃは、第３のマーチャントに対応することができる。第１のアカウント１０２ａ、第２のアカウント１０２ｂ、および第３のアカウント１０２ｃのそれぞれは、それぞれ、第１の仮想通貨証書１０６ａ、第２の仮想通貨証書１０６ｂ、および第３の仮想通貨証書１０６ｃに対応することができる。第１の仮想通貨証書１０６ａ、第２の仮想通貨証書１０６ｂ、および第３の仮想通貨証書１０６ｃのそれぞれは、通貨取引の前にサーバ１０２に登録することができる。第１の仮想通貨証書１０６ａ、第２の仮想通貨証書１０６ｂ、および第３の仮想通貨証書１０６ｃは、第１のユーザ１１８の第１のユーザアカウントにさらに関連付けることができる。
【０１３１】
例示的な状況では、第１の仮想通貨証書１０６ａ、第２の仮想通貨証書１０６ｂ、および第３の仮想通貨証書１０６ｃのそれぞれは、それぞれ第１の値、第２の値および第３の値に関連付けることができる。第１の値、第２の値、および第３の値は、それぞれ「＄２０」とすることができる。したがって、通貨取引の場合の償還のために第１のユーザ１１８の第１のユーザアカウントで利用可能な合計金額は、「＄６０」である。
【０１３２】
例示的な状況では、第１のユーザ１１８は、登録された第１の仮想通貨証書１０６ａに関連する第１の値を償還するために通貨取引を開始することができる。トランザクションは、第１の仮想通貨証書１０６ａの登録データをＰＯＳデバイス１０４に提供することによって開始することができる。償還請求の値は、「＄２６」とすることができる。そのような例示的な状況では、ＰＯＳデバイス１０４は、償還要求の値が、登録された第１の仮想通貨証書１０６ａに関連する第１の値よりも超過値「＄６」だけ高いと判断するよう動作可能とすることができる。ＰＯＳデバイス１０４は、第１の仮想通貨証書１０６ａに関連する第１の値「＄２０」を償還することができる。結果的に、登録された第１の仮想通貨証書１０６ａに関連する第１の値は、完全に償還することができる。さらに、償還要求の残りの値「＄６」は、第１のユーザ１１８の第１のユーザアカウントに登録された他の仮想通貨証書から償還することができる。
【０１３３】
例示的な状況では、ＰＯＳデバイス１０４は、第１のユーザアカウントおよび第１の仮想通貨証書の登録データをサーバ１０２に送信することができる。受信した要求に基づいて、サーバ１０２は、第１のユーザ１１８に登録された１つまたは複数の他の仮想通貨証書を判断し、償還要求の残りの値「＄６」を償還することができる。残りの値「＄６」は、第２の仮想通貨証書１０６ｂおよび／または第３の仮想通貨証書１０６ｃなどの、判断されて登録された１つまたは複数の他の仮想通貨証書から償還することができる。
【０１３４】
例示的な状況では、登録された１つまたは複数の他の仮想通貨証書の判断は、ラウンドロビンアルゴリズムなどの無優先度スケジューリングアルゴリズムに基づくことができる。そのような状況では、サーバ１０２は、償還要求の残りの値「＄６」の償還のために、第２の仮想通貨証書１０６ｂおよび第３の仮想通貨証書１０６ｃを選択することができる。サーバ１０２は、残りの値「＄６」を、２つの等しい値の部分「＄３」にそれぞれ分割することができる。次いで、サーバ１０２は、第２の値および第３の値からそれぞれ値「＄３」を償還することができる。結果的に、第１の仮想通貨証書１０６ａ、第２の仮想通貨証書１０６ｂ、および第３の仮想通貨証書１０６ｃの組み合わせの使用により、償還要求の値「＄２６」を正常に償還することができる。したがって、登録された第１の仮想通貨証書１０６ａの第１の残高値は「＄０」である。さらに、第２の仮想通貨証書１０６ｂの第２の残高値および第３の仮想通貨証書１０６ｃの第３の残高値は、それぞれ「＄１７」である。
【０１３５】
別の例示的な状況では、登録された１つまたは複数の他の仮想通貨証書の判断は、登録された１つまたは複数の他の仮想通貨証書の代替の優先順位に基づくことができる。そのような例示的な状況において、一実施形態によると、登録された１つまたは複数の他の仮想通貨証書の優先順位は、１つまたは複数の他の仮想通貨証書の登録時に、ユーザプレファレンスのセットに基づいて、第１のユーザ１１８によって事前に定義することができる。登録された１つまたは複数の他の仮想通貨証書の優先順位の判断は、登録された１つまたは複数の他の仮想通貨証書に関連付けられた登録データに基づくことができる。例えば、有効期限が他の仮想通貨証書の有効期限より前である仮想通貨証書の優先順位をより高くすることができる。一実施形態によれば、サーバ１０２内の学習エンジン２０４は、登録された１つまたは複数の他の仮想通貨証書の優先順位を合理的に判断することができる。
【０１３６】
判断された優先順位に基づいて、サーバ１０２は、登録された１つまたは複数の他の仮想通貨証書のそれぞれに関連する降順の優先順位で、登録された１つまたは複数の他の仮想通貨証書の第１のシーケンスを判断することができる。サーバ１０２は、登録された１つまたは複数の他の仮想通貨証書の判断された第１のシーケンスを、表示データとして第１のユーザ１１８に送信することができる。例示的な状況では、ＰＯＳデバイス１０４または電子デバイス１０８に関連付けられた第１のユーザ１１８は、ユーザプレファレンスのセットに基づいて、第１のシーケンスを第２のシーケンスに変更することができる。ユーザプレファレンスのセットは、第２のシーケンスにおける登録された１つまたは複数の他の仮想通貨証書のうちの残りの値「＄６」を分割する１つまたは複数の命令を備えることができる。別の例示的な状況では、第１のユーザ１１８は、第１のシーケンス内の登録された１つまたは複数の他の仮想通貨証書から、第２の仮想通貨証書１０６ｂなどの１つの仮想通貨証書を選択することができる。ユーザの選択に基づいて、サーバ１０２は、償還要求の残りの値「＄６」に対して、第２の値「＄２０」の少なくとも一部を償還することができる。したがって、第１の残高値は「＄０」であり、第２の残高値は「＄１４」である。さらに、第３の残高値は、「＄２０」のままとすることができる。
【０１３７】
別の例示的な状況では、第３の値は、通貨値でなくてもよい。代わりに、第３の値は、「２００００仮想ポイント」などの仮想ポイントを備えることができる。一例では、「２００００仮想ポイント」は、通貨値「＄２０」に対応することができる。通貨値と仮想ポイントとの対応は、交換レートに基づくことができる。一実施形態において、交換レートは、第１のアカウント１０２ａ、第２のアカウント１０２ｂ、および第３のアカウント１０２ｃに対して共通であってもよい。別の実施形態において、交換レートは、第１のアカウント１０２ａ、第２のアカウント１０２ｂ、および第３のアカウント１０２ｃに対して異なっていてもよい。
【０１３８】
別の例示的な状況では、償還要求の値は「＄４６」とすることができる。そのようなシナリオでは、サーバ１０２は、第１の仮想通貨証書１０６ａに関連付けられた第１の値「＄２０」および第２の仮想通貨証書１０６ｂに関連付けられた第２の値「＄２０」を償還することができる。償還要求の残りの値「＄６」は、残りの値「＄６」を交換レートに基づいて仮想ポイントに変換することに基づいて、第３の仮想通貨証書１０６ｃから償還することができる。変換から、残りの値「＄６」は、「６０００仮想ポイント」に対応することができる。その結果、サーバ１０２は、第３の仮想通貨証書１０６ｃから「６０００仮想ポイント」を償還することができる。処理された通貨取引に基づいて、第１の残高値および第２の残高値はそれぞれ「＄０」である。また、第３の残高値は、「１４０００仮想ポイント」である。
【０１３９】
図９Ａは、本開示の一実施形態による、サーバ１０２で通貨取引を処理するための第１の方法を示す第１のフローチャートを備える。図９Ａを参照すると、フローチャート９００ａが示される。フローチャート９００ａは、図１から図４に関連して説明される。本方法は、ステップ９０２で開始し、ステップ９０４に進む。
【０１４０】
ステップ９０４において、第１のアカウントに対応する第１の仮想通貨証書、および１つまたは複数の他のアカウントに対応する１つまたは複数の他の仮想通貨証書を登録することができる。登録された第１の仮想通貨証書および／または登録された１つまたは複数の他の仮想通貨証書は、第１のユーザ１１８に対応することができる。登録された第１の仮想通貨証書は、第１の値に関連付けることができる。同様に、登録された１つまたは複数の他の仮想通貨証書のそれぞれは、対応する値に関連付けることができる。ステップ９０４に従って、第１の仮想通貨証書および／または１つまたは複数の他の仮想通貨証書を第１のユーザ１１８に登録する方法は、図９Ｂでさらに説明される。
【０１４１】
ステップ９０６において、登録された第１の仮想通貨証書の償還要求を受信して、通貨取引を処理することができる。償還要求は、第１のユーザ１１８によって開始された通貨取引に対応することができる。ステップ９０８において、受信された償還要求の値が、登録された第１の仮想通貨証書に関連する第１の値よりも高いかどうかを判断することができる。受信された償還要求の値が、登録された第１の仮想通貨証書に関連する第１の値よりも低い場合、制御はステップ９１０に移る。受信された償還要求の値が、登録された第１の仮想通貨証書に関連する第１の値よりも高い場合、制御はステップ９１４に移る。
【０１４２】
ステップ９１０において、受信された償還要求の値が、登録された第１の仮想通貨証書に関連する第１の値よりも低い場合、登録された第１の仮想通貨証書に関連する第１の値を、受信した償還要求に対して償還することができる。ステップ９１２において、登録された第１の仮想通貨証書の第１の残高値を更新することができる。制御はステップ９２４に移る。
【０１４３】
ステップ９１４において、受信された償還要求の値が、登録された第１の仮想通貨証書に関連する第１の値よりも高い場合、受信された償還要求の値が、登録された第１の仮想通貨証書に関連する第１の値より高い超過値を判断することができる。
【０１４４】
ステップ９１６において、登録された第１の仮想通貨証書に関連する第１の値、および登録された１つまたは複数の他の仮想通貨証書に関連する１つまたは複数の他の値の少なくとも一部が、交換レートに基づいて判断された超過値に対して変換され得る。
【０１４５】
ステップ９１８において、登録された１つまたは複数の他の仮想通貨証書のシーケンスを、償還のため判断することができる。ステップ９１８により、登録された１つまたは複数の他の仮想通貨証書のシーケンスの判断の方法が、図９Ｃでさらに記載されている。
【０１４６】
ステップ９２０では、第１の値および登録された１つまたは複数の他の仮想通貨証書に関連する１つまたは複数の他の値の少なくとも一部の償還を認証することができる。ステップ９２２において、登録された第１の仮想通貨証書に関連する第１の値と、登録された１つまたは複数の他の仮想通貨証書に関連付けられた１つまたは複数の他の値の少なくとも一部を償還することができる。
【０１４７】
ステップ９２４において、処理された通貨取引に基づいて、要求ログおよび／または償還ログを更新することができる。ステップ９２６において、更新された要求ログおよび／または償還ログは、第１のアカウントおよび１つまたは複数の他のアカウントを含む複数のアカウントに関連付けられた複数のサーバに送信することができる。ステップ９２８において、登録された第１の仮想通貨証書の第１の残高値および／または登録された１つまたは複数の他の仮想通貨証書の１つまたは複数の他の残高値を、第１のアカウントおよび／または１つまたは複数の他のアカウントにおいて更新することができる。制御は最終ステップ９３０に進む。
【０１４８】
図９Ｂは、本開示の一実施形態による、サーバ１０２で第１のユーザ１１８による１つまたは複数の他の仮想通貨証書を登録するための第２の方法を示す第２のフローチャートを備える。図９Ｂを参照すると、ステップ９０４（図９Ａ）のフローチャート９００ｂが示される。ステップ９０４のフローチャート９００ｂは、図１から図４および図９Ａに関連して説明される。本方法は、ステップ９０４ａで開始し、ステップ９０４ｂに進む。
【０１４９】
ステップ９０４ｂにおいて、第１の仮想通貨証書および／または１つまたは複数の他の仮想通貨証書に関連付けられた第１のユーザ１１８の第１のユーザアカウントを作成することができる。ステップ９０４ｃにおいて、第１の仮想通貨証書および／または１つまたは複数の他の仮想通貨証書に関連する登録データを受信することができる。
【０１５０】
ステップ９０４ｄにおいて、受信した登録データを第１のユーザ１１８の第１のユーザアカウントに格納することができる。ステップ９０４ｅにおいて、第１のユーザアカウントの少なくとも一部および登録データの少なくとも一部を、ユーザアカウント検証のためにＰＯＳデバイス１０４または電子デバイス１０８に送信することができる。ステップ９０４ｆにおいて、登録された第１の仮想通貨証書の第１の残高値および登録された１つまたは複数の他の仮想通貨証書の１つまたは複数の他の残高値を受信することができる。制御は最終ステップ９０４ｇに進む。フローチャート９００ａ（図９Ａ）は、ステップ９０６（図９Ａ）で再開する。
【０１５１】
図９Ｃは、本開示の一実施形態による、登録された１つまたは複数の他の仮想通貨証書の優先順位を決定する第３の方法を示す第３のフローチャートを備える。図９Ｃを参照すると、ステップ９１８（図９Ａ）のフローチャート９００ｃが示される。フローチャート９００ｃは、図１から図４および図９Ａに関連して説明される。本方法は、ステップ９１８ａで開始し、ステップ９１８ｂに進む。
【０１５２】
ステップ９１８ｂにおいて、登録された１つまたは複数の他の仮想通貨証書に対応する登録データが利用可能であるかどうかを判断することができる。登録データが利用可能である場合、制御はステップ９１８ｃに移る。登録データが利用可能ではない場合、制御はステップ９１８ｊに移る。
【０１５３】
ステップ９１８ｃにおいて、登録された１つまたは複数の他の仮想通貨証書の登録データを使用して、登録された１つまたは複数の他の仮想通貨証書の優先順位を判断することができる。登録された１つまたは複数の他の仮想通貨証書の優先順位の判断は、１つまたは複数の基準に基づくことができる。一実施形態によれば、判断された優先順位は、通貨取引に関連する製品またはサービスのカテゴリの１つまたは複数に基づくことができる。一実施形態によれば、判断された優先順位は、第１のアカウントに関連付けられた交換レート、有効期限、および／または履歴償還要求にさらに基づくことができる。
【０１５４】
ステップ９１８ｄにおいて、表示データとして、登録された１つまたは複数の他の仮想通貨証書の第１のシーケンスを判断することができる。第１のシーケンスの判断は、判断された優先順位に基づくことができる。ステップ９１８ｅにおいて、判断された表示データは、ＰＯＳデバイス１０４または電子デバイス１０８に送信することができる。
【０１５５】
ステップ９１８ｆにおいて、登録された１つまたは複数の他の仮想通貨証書の第２のシーケンスが、第１のユーザ１１８によってＰＯＳデバイス１０４または電子デバイス１０８で提供されるかどうかを判断することができる。第１のユーザ１１８は、第２のシーケンスを判断することができるユーザプレファレンスのセットを提供することができる。第２のシーケンスがＰＯＳデバイス１０４または電子デバイス１０８で提供される場合、制御はステップ９１８ｇに移る。第２のシーケンスがＰＯＳデバイス１０４または電子デバイス１０８で提供されない場合、制御はステップ９１８ｈに移る。
【０１５６】
ステップ９１８ｇにおいて、償還のために、登録された１つまたは複数の他の仮想通貨証書のシーケンスを、受信された第２のシーケンスに基づいて判断することができる。制御は最終ステップ９１８ｉに進む。ステップ９１８ｈにおいて、償還のために、登録された１つまたは複数の他の仮想通貨証書のシーケンスを、判断された第１のシーケンスに基づいて判断することができる。制御は最終ステップ９１８ｉに進む。
【０１５７】
ステップ９１８ｊにおいて、要求された登録データが利用可能ではない場合、判断された超過値は、償還のために、登録された１つまたは複数の他の仮想通貨証書の勘定に基づいて等しい部分に分割することができる。したがって、登録された１つまたは複数の他の仮想通貨証書に関連付けられた１つまたは複数の他の値の少なくとも一部を、超過値を等分に分割することに基づいて償還することができる。制御は最終ステップ９１８ｉに進む。フローチャート９００ａ（図９Ａ）は、ステップ９２０（図９Ａ）で再開する。
【０１５８】
図１０は、本開示の一実施形態による、ＰＯＳデバイス１０４で通貨取引を処理するための第４の方法を示す第４のフローチャートを備える。図１０を参照すると、フローチャート１０００が示される。フローチャート１０００は、図１から図４に関連して説明される。本方法は、ステップ１００２で開始し、ステップ１００４に進む。
【０１５９】
ステップ１００４において、登録された第１の仮想通貨証書の償還要求を受信して、通貨取引を処理することができる。一実施形態によれば、償還要求は、第１のユーザ１１８から直接受信することができる。一実施形態によれば、償還要求は、電子デバイス１０８を介して、第１のユーザ１１８から受信することができる。ステップ１００６において、償還要求の値が、登録された第１の仮想通貨証書に関連する第１の値よりも高いかどうかを判断することができる。償還要求の値が、登録された第１の仮想通貨証書に関連する第１の値よりも低い場合、制御はステップ１００８に移る。償還要求の値が、登録された第１の仮想通貨証書に関連する第１の値よりも高い場合、制御はステップ１０１２に移る。
【０１６０】
ステップ１００８において、償還要求の値が、登録された第１の仮想通貨証書に関連する第１の値よりも低い場合、登録された第１の仮想通貨に関連する第１の値を償還することができる。ステップ１０１０において、登録された第１の仮想通貨証書の第１の残高値は、償還に基づいて更新することができる。制御は最終ステップ１０２４に進む。
【０１６１】
ステップ１０１２において、償還要求の値が、登録された第１の仮想通貨証書に関連する第１の値よりも高い場合、要求をサーバ１０２に送信することができる。要求は、それぞれ１つまたは複数の他の残高値を伴う登録された１つまたは複数の他の仮想通貨証書のシーケンスに対してサーバ１０２に送信することができる。ステップ１０１４において、第１のシーケンスにおける登録された１つまたは複数の他の仮想通貨証書を備える表示データをサーバ１０２から直接受信することができる。一実施形態によれば、受信された表示データは、ＰＯＳデバイス１０４で表示することができる。一実施形態によれば、受信された表示データは、電子デバイス１０８に送信することができる。
【０１６２】
ステップ１０１６において、表示データ上のユーザプレファレンスのセットが第１のユーザ１１８から受信されたかどうかを判断することができる。一実施形態によれば、プレファレンスのセットは、電子デバイス１０８に関連付けられた第１のユーザ１１８から受信することができる。ユーザプレファレンスのセットが受信された場合、制御はステップ１０１８に移る。ユーザプレファレンスのセットが受信されない場合、制御はステップ１０２２に移る。
【０１６３】
ステップ１０１８において、ユーザプリファレンスのセットが受信された場合、登録された１つまたは複数の他の仮想通貨証書の第２シーケンスを、ユーザプリファレンスの受信されたセットに基づいて判断することができる。ステップ１０２０において、判断された第２のシーケンスは、サーバ１０２に送信することができる。
【０１６４】
ステップ１０２２において、通貨取引の正常な処理に対する通知、登録された第１の仮想通貨証書の更新された第１の残高値、および登録された１つまたは複数の他の仮想通貨証書の１つまたは複数の他の残高値を、サーバ１０２から受信することができる。制御は最終ステップ１０２４に進む。
【０１６５】
図１１は、本開示の一実施形態による、電子デバイス１０８で通貨取引を処理するための第５の方法を示す第５のフローチャートを備える。図１１を参照すると、フローチャート１１００が示される。フローチャート１１００は、図１から図４に関連して説明される。本方法は、ステップ１１０２で開始し、ステップ１１０４に進む。
【０１６６】
ステップ１１０４において、登録された第１の仮想通貨証書の償還要求を受信して、通貨取引を処理することができる。ステップ１１０６において、受信された償還要求を、サーバ１０２に直接送信することができる。一実施形態によれば、受信された償還要求は、ＰＯＳデバイス１０４を介して、サーバ１０２に送信することができる。
【０１６７】
ステップ１１０８において、それぞれ１つまたは複数の他の残高値を伴う登録された１つまたは複数の他の仮想通貨証書のシーケンスに対する要求を、サーバ１０２に送信することができる。ステップ１１１０において、第１のシーケンスにおいて登録された１つまたは複数の他の仮想通貨証書を備える表示データを受信することができる。
【０１６８】
ステップ１１１２において、表示データ上のユーザプレファレンスのセットが第１のユーザ１１８から受信されたかどうかを判断することができる。ユーザプレファレンスのセットが受信された場合、制御はステップ１１１４に移る。ユーザプレファレンスのセットが受信されない場合、制御はステップ１１１８に移る。
【０１６９】
ステップ１１１４において、ユーザプレファレンスの受信したセットに基づいて、第２のシーケンスを判断することができる。ステップ１１１６において、判断された第２のシーケンスは、サーバ１０２に送信することができる。ステップ１１１８において、通貨取引の正常な処理に対する通知、登録された第１の仮想通貨証書の更新された第１の残高値、および登録された１つまたは複数の他の仮想通貨証書の１つまたは複数の他の残高値を、ＰＯＳデバイス１０４またはサーバ１０２から受信することができる。制御は最終ステップ１１２０に進む。
【０１７０】
本開示の一実施形態によれば、通貨取引を処理するシステムは、サーバ１０２内のプロセッサ２０２（図２）などの１つまたは複数の回路を備えることができる。プロセッサ２０２は、サーバ１０２において、第１のアカウントに対応する第１の仮想通貨証書と、１つまたは複数の他のアカウントに対応する１つまたは複数の他の仮想通貨証書とを登録するよう動作可能とすることができる。登録された第１の仮想通貨証書は、第１の値に関連付けることができる。プロセッサ２０２は、登録された第１の仮想通貨証書の償還要求を受信して、通貨取引を処理するようさらに動作可能とすることができる。受信された償還要求の値は、登録された第１の仮想通貨証書に関連付けられた第１の値よりも超過値の分だけ高い可能性がある。プロセッサ２０２は、登録された第１の仮想通貨証書に関連する第１の値、および登録された１つまたは複数の他の仮想通貨証書に関連する１つまたは複数の他の値の少なくとも一部を償還して、通貨取引を処理するようさらに動作可能とすることができる。
【０１７１】
本開示の別の態様によれば、通貨取引を処理するシステムは、ＰＯＳデバイス１０４内のプロセッサ３０２（図３）などの１つまたは複数の回路を備えることができる。プロセッサ３０２は、登録された第１の仮想通貨証書の償還要求を受信して、ＰＯＳデバイス１０４で通貨取引を処理するよう動作可能とすることができる。プロセッサ３０２は、受信された償還要求が、登録された第１の仮想通貨証書に関連付けられた第１の値よりも高い超過値を判断するよう動作可能とすることができる。プロセッサ３０２は、サーバ１０２から表示データを受信するようさらに動作可能とすることができる。受信した表示データは、登録された１つまたは複数の他の仮想通貨証書に関連する１つまたは複数の他の値の償還のための優先順位、登録された第１の仮想通貨証書および登録された１つまたは複数の他の仮想通貨証書を交換するオプション、新たな仮想通貨証書を購入するオプション、登録された第１の仮想通貨証書および／または登録された１つまたは複数の他の仮想通貨証書に関連する登録データ、ならびに／もしくは登録された第１の仮想通貨証書および登録された１つまたは複数の他の仮想通貨証書を交換することに関連する交換レートを備えることができる。プロセッサ３０２は、超過値の償還のために、登録された１つまたは複数の他の仮想通貨証書を電子デバイス１０８から選択するようさらに動作可能とすることができる。プロセッサ３０２は、選択されて登録された１つまたは複数の他の仮想通貨証書をサーバ１０２に送信するようさらに動作可能とすることができる。サーバ１０２は、第１の値と、登録された１つまたは複数の他の仮想通貨証書の受信された選択に関連する１つまたは複数の他の値の少なくとも一部との償還に基づいて、通貨取引を処理することができる。
【０１７２】
本開示の別の態様によれば、通貨取引を処理する電子デバイスは、電子デバイス１０８内のプロセッサ４０２（図４）などの１つまたは複数の回路を備えることができる。一実施形態によれば、電子デバイス１０８は、スマートカードデバイスに通信可能に結合されたスマートフォンとして実現することができる。プロセッサ４０２は、通貨取引を処理するための償還要求を通信するよう動作可能とすることができる。償還要求は、登録された第１の仮想通貨証書に関連する第１の値よりも超過値の分だけ高い可能性がある。プロセッサ４０２は、サーバ１０２またはＰＯＳデバイス１０４から表示データを受信するよう動作可能とすることができる。プロセッサ４０２は、ユーザプレファレンスのセットに基づいて、受信された表示データから、登録された１つまたは複数の仮想通貨証書を選択するようさらに動作可能とすることができる。プロセッサ４０２は、選択されて登録された１つまたは複数の他の仮想通貨証書をサーバ１０２またはＰＯＳデバイス１０４に送信するようさらに動作可能とすることができる。サーバ１０２は、登録された第１の仮想通貨証書に関連する第１の値と、選択されて登録された１つまたは複数の他の仮想通貨証書に関連する１つまたは複数の他の値の少なくとも一部との償還に基づいて、通貨取引を処理することができる。プロセッサ４０２は、登録された第１の仮想通貨証書に関連する更新された第１の残高値および登録された１つまたは複数の他の仮想通貨証書の１つまたは複数の他の残高値および処理された通貨取引に対応する通知を受信するようさらに動作可能とすることができる。
【０１７３】
本開示のさまざまな実施形態は、通貨取引を処理するために機械および／またはコンピュータによって実行可能な少なくとも１つのコードセクションを有する機械コードおよび／またはコンピュータプログラムを格納する、非一時的なコンピュータ可読媒体および／または記憶媒体、ならびに／もしくは非一時的機械可読媒体および／または記憶媒体を備えた記憶媒体を提供することができる。サーバ内の少なくとも１つのコードセクションは、機械および／またはコンピュータに、第１のアカウントに対応する第１の仮想通貨証書および１つまたは複数の他のアカウントに対応する１つまたは複数の他の仮想通貨証書の、サーバ１０２での登録を備えるステップを実行させることができる。登録された第１の仮想通貨証書は、第１の値に関連付けることができる。サーバはさらに、登録された第１の仮想通貨証書の償還要求を受信して、通貨取引を処理することができる。受信された償還要求の値は、登録された第１の仮想通貨証書に関連付けられた第１の値よりも超過値の分だけ高い可能性がある。サーバ１０２はさらに、登録された第１の仮想通貨証書に関連する第１の値、および登録された１つまたは複数の他の仮想通貨証書に関連する１つまたは複数の他の値の少なくとも一部を償還して、通貨取引を処理することができる。登録された１つまたは複数の他の仮想通貨証書に関連する１つまたは複数の他の値の少なくとも一部は、超過値に対応することができる。
【０１７４】
本開示の別の態様によれば、本開示のさまざまな実施形態は、通貨取引を処理するために機械および／またはコンピュータによって実行可能な少なくとも１つのコードセクションを有する機械コードおよび／またはコンピュータプログラムを格納する、非一時的なコンピュータ可読媒体および／または記憶媒体、ならびに／もしくは非一時的機械可読媒体および／または記憶媒体を備えた記憶媒体を提供することができる。ＰＯＳデバイス内の少なくとも１つのコードセクションは、機械および／またはコンピュータに、ＰＯＳデバイス１０４において、登録された第１の仮想通貨証書の償還要求を受信して通貨取引を処理することを備えるステップを実行させることができる。受信された償還要求の値が、登録された第１の仮想通貨証書に関連する第１の値よりも高い超過値を判断することができる。表示データは、サーバ１０２から受信することができる。受信した表示データは、登録された１つまたは複数の他の仮想通貨証書に関連する１つまたは複数の他の値の償還のための優先順位、登録された第１の仮想通貨証書および登録された１つまたは複数の他の仮想通貨証書を交換するオプション、新たな仮想通貨証書を購入するオプション、登録された第１の仮想通貨証書および／または登録された１つまたは複数の他の仮想通貨証書に関連する登録データ、ならびに／もしくは登録された第１の仮想通貨証書および登録された１つまたは複数の他の仮想通貨証書を交換することに関連する交換レートを備えることができる。一実施形態によれば、受信された表示データは、電子デバイス１０８に送信することができる。登録された１つまたは複数の他の仮想通貨証書の選択は、超過値の償還のために、第１のユーザ１１８から、直接的に、または電子デバイス１０８を介して、受信することができる。登録された１つまたは複数の他の仮想通貨証書の受信された選択は、サーバ１０２に送信することができる。サーバ１０２は、第１の値と、登録された１つまたは複数の他の仮想通貨証書の受信された選択に関連する１つまたは複数の他の値の少なくとも一部との償還に基づいて、通貨取引を処理することができる。
【０１７５】
本開示は、ハードウェア、またはハードウェアとソフトウェアとの組み合わせで実現することができる。本開示は、少なくとも１つのコンピュータシステムにおいて、またはさまざまな要素をいくつかの相互接続されたコンピュータシステムにわたって分散することができる分散方式で、集中的に実現することができる。本明細書に記載の方法を実行するのに適したコンピュータシステムまたは他の装置が適している可能性がある。ハードウェアとソフトウェアの組み合わせは、ロードされ実行された場合、本明細書に記載の方法を実行するようにコンピュータシステムを制御することができるコンピュータプログラムを有する汎用コンピュータシステムとすることができる。本開示は、他の機能も実行する集積回路の一部を備えるハードウェアで実現してもよい。
【０１７６】
本開示は、本明細書に記載された方法の実施を可能にするすべての特徴を備え、コンピュータシステムにロードされた場合にこれらの方法を実行することができる、コンピュータプログラム製品に埋め込むこともできる。本明細書において、コンピュータプログラムとは、任意の言語、コード、または表記で、情報処理能力を有するシステムに、特定の機能を直接的に、または以下、すなわち、ａ）別の言語、コード、または表記への変換、ｂ）異なるマテリアル形式での複製、のいずれかまたは両方で特定の機能を実行させようとする命令のセットの任意の表現を意味する。
【０１７７】
本開示は、特定の実施形態を参照して説明しているが、本開示の範囲から逸脱することなく、さまざまな変更がなされ、同等物で代用することができることは、当業者によって理解されよう。さらに、その範囲から逸脱することなく、特定の状況または材料を本開示の教示に適合させるために、多くの修正を行うことができる。したがって、本開示は、開示された特定の実施形態に限定されず、本開示は、添付の特許請求の範囲内に入るすべての実施形態を含むことが意図される。
【図１】
2018511856.tif 000003
【図２】
2018511856.tif 000004
【図３】
2018511856.tif 000005
【図４】
2018511856.tif 000006
【図５】
2018511856.tif 000007
【図６】
2018511856.tif 000008
【図７】
2018511856.tif 000009
【図８】
2018511856.tif 000010
【図９Ａ】
2018511856.tif 000011
【図９Ｂ】
2018511856.tif 000012
【図９Ｃ】
2018511856.tif 000013
【図１０】
2018511856.tif 000014
【図１１】
2018511856.tif 000015
【国際調査報告】
2018511856.tif 000016
2018511856.tif 000017